(57)【要約】  本実施形態は、第１液体レンズを含み、第１イメージを撮影する第１カメラモジュール；第２液体レンズを含み、第２イメージを撮影する第２カメラモジュールを含み、前記第１カメラモジュールの画角は、前記第２カメラモジュールの画角より小さく、前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、第１カメラモジュールが、フォーカシングされる時、第１液体レンズは、被写体との距離に応じて焦点距離が可変されて、第２カメラモジュールが、フォーカシングされる時、第２液体レンズは、被写体との距離に応じて焦点距離が可変されるデュアルカメラモジュールに関する。【選択図】図９
2019529994.tif 000002
【特許請求の範囲】
【請求項１】
第１液体レンズを含み、第１イメージを撮影する第１カメラモジュール；及び
第２液体レンズを含み、第２イメージを撮影する第２カメラモジュールを含み、
前記第１カメラモジュールの画角は、前記第２カメラモジュールの画角より小さく、
前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、
第１カメラモジュールが、フォーカシングされる時、第１液体レンズは、被写体との距離に応じて焦点距離が可変されて、
第２カメラモジュールが、フォーカシングされる時、第２液体レンズは、被写体との距離に応じて焦点距離が可変されることを特徴とする、デュアルカメラモジュール。
【請求項２】
前記フォーカシングは、
前記第１カメラモジュールは、前記第１液体レンズの第１界面が変わることによってフォーカシングされて、前記第１液体レンズの焦点距離は、被写体が前記第１液体レンズに近接するほど短くなり、
前記第２カメラモジュールは、前記第２液体レンズの第２界面が変わることによってフォーカシングされて、前記第２液体レンズの焦点距離は、被写体が前記第２液体レンズに近接するほど短くなることを特徴とする、請求項１に記載のデュアルカメラモジュール。
【請求項３】
前記第１液体レンズは、互に異なる二つの液体が配置される第１キャビティを含み、
前記第１キャビティの上部直径は、下部直径より大きく、
前記第１キャビティの直径は、上部から下部に行くほど小さくなり、
前記第２液体レンズは、互いに異なる二つの液体が配置される第２キャビティを含み、
前記第２キャビティの上部直径は、下部直径より大きく、
前記第２キャビティの直径は、上部から下部に行くほど小さくなることを特徴とする、請求項１に記載のデュアルカメラモジュール。
【請求項４】
前記第１液体レンズは、互いに異なる二つの液体が配置される第１キャビティを含み、
前記第１キャビティの下部直径は、上部直径より大きく、
前記第１キャビティの直径は、下部から上部に行くほど小さくなり、
前記第２液体レンズは、互いに異なる二つの液体が配置される第２キャビティを含み、
前記第２キャビティの下部直径は、上部直径より大きく、
前記第２キャビティの直径は、下部から上部に行くほど小さくなることを特徴とする、請求項１に記載のデュアルカメラモジュール。
【請求項５】
被写体が、第１カメラモジュールからの距離が１０ｃｍ離れた位置でフォーカシングされる時、前記第１液体レンズの第１界面の形状は、前記第１キャビティの上部方向に凸して、
被写体が、第２カメラモジュールからの距離が１０ｃｍ離れた位置でフォーカシングされる時、前記第２液体レンズの第２界面の形状は、前記第２キャビティの上部方向に凸することを特徴とする、請求項３に記載のデュアルカメラモジュール。
【請求項６】
被写体が、第１カメラモジュールからの距離が１０ｃｍ離れた位置でフォーカシングされる時、前記第１液体レンズの第１界面の形状は、前記第１キャビティの下部方向で凸して、
被写体が、第２カメラモジュールからの距離が１０ｃｍ離れた位置でフォーカシングされる時、前記第２液体レンズの第２界面の形状はｍ前記第２キャビティの下部方向に凸することを特徴とする、請求項４に記載のデュアルカメラモジュール。
【請求項７】
被写体が、第１カメラモジュールからの距離が１０ｃｍ離れた位置でフォーカシングされる時、前記第１界面の曲率は、被写体が第２カメラモジュールからの距離が１０ｃｍ離れた位置にある時に前記第２界面の曲率よりより大きいことを特徴とする、請求項１に記載のデュアルカメラモジュール。
【請求項８】
前記第１カメラモジュールは、第１レンズホルダーをさらに備え、
前記第１レンズホルダーは、前記第１レンズホルダー内部の最上部に配置された第１レンズを含み、
前記第２カメラモジュールは、第２レンズホルダーをさらに備え、
前記第２レンズホルダーは、前記第２レンズホルダー内部の最上部に配置された第２レンズを含み、
前記第１レンズの直径は、前記第２レンズの直径より小さいことを特徴とする、請求項１に記載のデュアルカメラモジュール。
【請求項９】
前記第１カメラモジュールは、前記第１液体レンズを収容する第１カバー部材を含み、前記第２カメラモジュールは、前記第２液体レンズを収容する第２カバー部材を含み、
前記第１カバー部材は、前記第１カバー部材の上部を形成する第１上面板と側面を形成する第１側面板を含み、前記第２カバー部材は、前記第２カバー部材の上部を形成する第２上面板と側面を形成する第２側面板を含み、前記第１上面板と前記第２上面板の広さは、互いに同じことを特徴とする、請求項１に記載のデュアルカメラモジュール。
【請求項１０】
第１液体レンズを含み、第１イメージを撮影する第１カメラモジュール；
第２液体レンズを含み、第２イメージを撮影する第２カメラモジュール；及び
前記第１イメージと前記第２イメージを合成して合成イメージを生成する制御部；を含み、
前記第１カメラモジュールの画角は、前記第２カメラモジュールの画角より小さく、
前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、
前記第１カメラモジュールが、フォーカシングされる時、前記第１液体レンズは、被写体との距離に応じて焦点距離が可変されて、
前記第２カメラモジュールが、フォーカシングされる時、前記第２液体レンズは、被写体との距離に応じて焦点距離が可変されて、
前記制御部は、前記合成イメージを前記オーバーラップエリアを中心にデジタルズームして倍率を拡大する場合、前記合成イメージの分解能は減少してから上昇することを特徴とする、光学装置。
【発明の詳細な説明】
【技術分野】
【０００１】
本実施形態は、デュアルカメラモジュール及び光学装置に関する。
【０００２】
本実施形態は、カメラモジュール及びカメラモジュールの動作方法に関し、より詳細には駆動部と二つの液体レンズとの間にスイッチング部を備えて、スイッチング部のスイッチを開放または短絡させることによって、一つのハードウェアでＡＦ（Ａｕｔｏ  Ｆｏｃｕｓ）とＯＩＳ（Ｏｐｔｉｃａｌ  Ｉｍａｇｅ  Ｓｔａｂｉｌｉｚａｔｉｏｎ）機能が可能なカメラモジュール及びカメラモジュールの動作方法に関する。
【背景技術】
【０００３】
以下で記述される内容は、本実施形態に対する背景情報を提供するためだけに従来技術を記載したのではない。
【０００４】
各種携帯端末の普及が広く一般化されて、無線インターネツトサービスが商用化されるにつれ携帯端末と関連した消費者のニーズも多様化されていて様々な種類の付加装置が携帯端末に取り付けられている。
【０００５】
そのうち代表的なものでイメージや映像を撮影するカメラモジュールがある。カメラモジュールは、被写体との距離に応じて自動で焦点を調節するオートフォーカス（ＡＦ、Ａｕｔｏ  Ｆｏｃｕｓ）機能と撮影時使用者の手振れを補正する機能である手振れ補正（ＯＩＳ，Ｏｐｔｉｃａｌ  ｉｍａｇｅ  ｓｔａｂｉｌｉｚａｔｉｏｎ）機能を行うことができる。
【０００６】
通常のカメラモジュールは、レンズ駆動装置によってオートフォーカス機能と手振れ補正機能を行う。レンズ駆動装置は、コイルとマグネットの電磁気的相互作用によってレンズモジュールを稼動させる装置でボイスコイルモータ（ＶＣＭ，Ｖｏｉｃｅ  Ｃｏｉｌ  Ｍｏｔｏｒ）で呼称される。
【０００７】
一方、デュアルカメラモジュールは、二つのシングルカメラモジュールを含み、各シングルカメラモジュールが撮影した二つ以上のイメージを合成して高分解能または高解像力と高ＭＴＦ（ｍｏｄｕｌａｔｉｏｎ  ｔｒａｎｓｆｅｒ  ｆｕｎｃｔｉｏｎ）を持つ合成イメージを生成するためのカメラモジュールである。
【０００８】
しかし従来のデュアルカメラモジュールではレンズ駆動装置間電磁気干渉が発生する問題点があった。
【０００９】
また、レンズ駆動装置は、多数の部品の組立体で設置空間を多く占める。従って、シングルカメラモジュールを近接して配置するのに設計的困難がある。
【００１０】
さらにこれを防止するために、一方のシングルカメラモジュールだけレンズ駆動装置を用いる場合、他方のシングルカメラモジュールは、オートフォーカス機能などを実行できず合成イメージの品質が低下する問題がある。
【００１１】
カメラの技術が発展すると共に、使用者の便宜性を向上させる様々なカメラが開発されている。例えば、前面カメラと後面カメラが同時に作動して各々前面と後面の被写体を撮影した後、一つのイメージで合成したり一般角と広角で各々撮影された被写体を一つのイメージで合成するデュアルカメラ機能（ｄｕａｌ  ｃａｍｅｒａ  ｆｕｎｃｔｉｏｎ）などが脚光を浴びている。
【００１２】
しかし、従来デュアルカメラの場合、二つのカメラを各々動作させるために二つのハードウェアが備えられたため、カメラの重量が増して、製作費用を上昇させる問題点があった。
【００１３】
従って、一つのハードウェアでデュアルカメラを動作させることができる装置及び方法の開発が急がれる。
【発明の概要】
【発明が解決しようとする課題】
【００１４】
本実施形態は、近接して配置されても電磁気干渉を受けることなく、独立してオートフォーカス機能と手振れ補正機能を行うことができるシングルカメラモジュールを含み、コンパクトな構造を持って、合成イメージのＭＴＦが高いデュアルカメラモジュールを提供しようとする。
【００１５】
本実施形態が解決しようとする課題は、駆動部と二つのカメラモジュールとの間にスイッチング部を備えて、スイッチング部のスイッチを開放または短絡させることによって、一つのハードウェアでＡＦとＯＩＳ機能を行うことができるカメラモジュール及びカメラモジュールの動作方法を提供する。
【００１６】
本実施形態が解決しようとする別の課題は、駆動部と二つのカメラモジュールを連結するスイッチング部を備えるので、一つのハードウェアでデュアルカメラを動作させることができて、カメラの体積及び製作単価を減らすことができるカメラモジュール及びカメラモジュールの動作方法を提供する。
【課題を解決するための手段】
【００１７】
本実施形態のデュアルカメラモジュールは、第１液体レンズを含み、第１イメージを撮影する第１カメラモジュール；第２液体レンズを含み、第２イメージを撮影する第２カメラモジュールを含み、前記第１カメラモジュールの画角は、前記第２カメラモジュールの画角より小さく、前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、第１カメラモジュールがフォーカシングされる時、第１液体レンズは、被写体との距離に応じて焦点距離が可変されて、第２カメラモジュールがフォーカシングされる時、第２液体レンズは被写体との距離に応じて焦点距離が可変されることができる。
【００１８】
前記フォーカシングは、前記第１カメラモジュールは、前記第１液体レンズの第１界面が変わることによってフォーカシングされて、前記第１液体レンズの焦点距離は、被写体が前記第１液体レンズに近接するほど短くなって、前記第２カメラモジュールは、前記第２液体レンズの第２界面が変わることによってフォーカシングされて、前記第２液体レンズの焦点距離は、被写体が前記第２液体レンズに近接するほど短くなることができる。
【００１９】
前記第１液体レンズは、互に異なる二つの液体が配置される第１キャビティを含み、前記第１キャビティの上部直径は、下部直径より大きく、前記第１キャビティの直径は、上部から下部に行くほど小さくなって、前記第２液体レンズは、互に異なる二つの液体が配置される第２キャビティを含み、前記第２キャビティの上部直径は、下部直径より大きく、前記第２キャビティの直径は、上部から下部に行くほど小さくなることができる。
【００２０】
前記第１液体レンズは、互に異なる二つの液体が配置される第１キャビティを含み、前記第１キャビティの下部直径は、上部直径より大きく、前記第１キャビティの直径は下部から上部に行くほど小さくなって、前記第２液体レンズは、互いに異なる二つの液体が配置される第２キャビティを含み、前記第２キャビティの下部直径は、上部直径より大きく、前記第２キャビティの直径は下部から上部に行くほど小さくなることができる。
【００２１】
被写体が第１カメラモジュールからの距離が１０ｃｍ離れた位置でフォーカシングされる時、前記第１液体レンズの第１界面の形状は、前記第１キャビティの上部方向に凸して、被写体が第２カメラモジュールからの距離が１０ｃｍ離れた位置でフォーカシングされる時、前記第２液体レンズの第２界面の形状は、前記第２キャビティの上部方向に凸することができる。
【００２２】
被写体が第１カメラモジュールからの距離が１０ｃｍ離れた位置でフォーカシングされる時、前記第１液体レンズの第１界面の形状は、前記第１キャビティの下部方向に凸して、被写体が第２カメラモジュールからの距離が１０ｃｍ離れた位置でフォーカシングされる時、前記第２液体レンズの第２界面の形状は、前記第２キャビティの下部方向に凸することができる。
【００２３】
被写体が第１カメラモジュールからの距離が１０ｃｍ離れた位置でフォーカシングされる時、前記第１界面の曲率は、被写体が第２カメラモジュールからの距離が１０ｃｍ離れた位置にある時前記第２界面の曲率より大きいことがある。
【００２４】
前記第１カメラモジュールは、第１レンズホルダーをさらに備え、前記第１レンズホルダーは、前記第１レンズホルダー内部の最上部に配置された第１レンズを含み、前記第２カメラモジュールは、第２レンズホルダーをさらに備え、前記第２レンズホルダーは、前記第２レンズホルダー内部の最上部に配置された第２レンズを含み、前記第１レンズの直径は、前記第２レンズの直径より小さいことがある。
【００２５】
前記第１カメラモジュールは、前記第１液体レンズを収容する第１カバー部材を含み、前記第２カメラモジュールは、前記第２液体レンズを収容する第２カバー部材を含み、前記第１カバー部材は、前記第１カバー部材の上部を形成する第１上面板と側面を形成する第１側面板を含み、前記第２カバー部材は、前記第２カバー部材の上部を形成する第２上面板と側面を形成する第２側面板を含み、前記第１上面板と前記第２上面板の広さは互いに同じであり得る。
【００２６】
前記第１上面板の広さは、前記第２上面板の広さより狭いことがある。
【００２７】
前記第１液体レンズに形成されたキャビティの最大直径は、前記第２液体レンズに形成されたキャビティの最大直径より小さいことがある。
【００２８】
前記第１液体レンズに形成されたキャビティの最小直径は、前記第２液体レンズに形成されたキャビティの最小直径より小さいことがある。
【００２９】
前記第２カメラモジュールの焦点距離は、前記第１カメラモジュールの焦点距離より小さいことがある。
【００３０】
前記第１界面が変わって前記第１イメージのＭＴＦ値を調節して、前記第２界面が変わって前記第２イメージのＭＴＦ値を調節することができる。
【００３１】
前記第１界面が変わって前記第１イメージのＭＴＦ値を調節して、前記第２界面が変わって前記第２イメージのＭＴＦ値を調節することができる。
【００３２】
前記第１及び第２カメラモジュールは同時にオートフォーカシングを行うことができる。
【００３３】
前記第１液体レンズの第１界面が変わることによって手振れ補正をさらに行うことができる。
【００３４】
前記第２液体レンズの第２界面が変わることによって手振れ補正を行うことができる。
【００３５】
本実施形態の光学装置は、第１液体レンズを含み第１イメージを撮影する第１カメラモジュール；第２液体レンズを含み第２イメージを撮影する第２カメラモジュール；前記第１イメージと前記第２イメージを合成して合成イメージを生成する制御部を含み、前記第１カメラモジュールの画角は、前記第２カメラモジュールの画角より小さく、前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、第１カメラモジュールがフォーカシングされる時に第１液体レンズは、被写体との距離に応じて焦点距離が可変されて、第２カメラモジュールがフォーカシングされる時に第２液体レンズは被写体との距離に応じて焦点距離が可変されて、前記制御部は、前記合成イメージを前記オーバーラップエリアを中心にデジタルズームして倍率を拡大する場合、前記合成イメージの分解能は、減少してから上昇することができる。
【００３６】
本実施形態のデュアルカメラモジュールは、第１レンズ駆動装置によって稼動する第１レンズモジュールを含み、第１イメージを撮影する第１カメラモジュール；第２液体レンズを含み第２イメージを撮影する第２カメラモジュールを含み、前記第１カメラモジュールの画角は、前記第２カメラモジュールの画角より小さく、前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、前記第１カメラモジュールは、前記第１レンズモジュールが光軸方向に稼動してオートフォーカス機能を行って、前記第２カメラモジュールは、フォーカシングされる時に第２液体レンズと被写体との間の距離に応じて焦点距離が可変されることができる。
【００３７】
前記第２液体レンズの焦点距離は被写体が前記第２液体レンズに近接するほど短くなることができる。
【００３８】
前記第１及び第２カメラモジュールは、同時にオートフォーカス機能を行うことができる。
【００３９】
第１レンズ駆動装置によって稼動する第１レンズモジュールを含み、第１イメージを撮影する第１カメラモジュール；第２液体レンズを含み第２イメージを撮影する第２カメラモジュール；前記第１イメージと前記第２イメージを合成して合成イメージを生成する制御部を含み、前記第１カメラモジュールの画角は、前記第２カメラモジュールの画角より小さく、前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、前記第１カメラモジュールがフォーカシングされる時に前記第１レンズモジュールが光軸方向に稼動してフォーカシングを実行し、前記第２カメラモジュールがフォーカシングされる時に第２液体レンズは被写体との距離に応じて焦点距離が可変されて、前記制御部は、前記合成イメージを前記オーバーラップエリアを中心にデジタルズームして倍率を拡大する場合、前記合成イメージの分解能は、減少してから上昇することができる。
【００４０】
第１レンズ駆動装置によって稼動する第１レンズモジュールを含み、第１イメージを撮影する第１カメラモジュール；第２液体レンズを含み第２イメージを撮影する第２カメラモジュールを含み、前記第２カメラモジュールの画角は、前記第１カメラモジュールの画角より小さく、前記第２カメラモジュールの画角中少なくとも一部は、前記第１カメラモジュールの画角に含まれて、前記第２イメージと前記第１イメージを合成した合成イメージを生成することができるように前記第２イメージと前記第１イメージとの間にオーバーラップエリアが存在して、前記第１カメラモジュールは、前記第１レンズモジュールが光軸方向に稼動してオートフォーカス機能を行って、前記第２カメラモジュールはフォーカシングされる時に第２液体レンズと被写体との間の距離に応じて焦点距離が可変されることができる。
【００４１】
前記第１カメラモジュールは、前記第１レンズモジュールを収容する第１カバー部材を含み、前記第２カメラモジュールは、前記第２液体レンズを収容する第２カバー部材を含み、前記第１カバー部材は、前記第１カバー部材の上部を形成する第１上面板と側面を形成する第１側面板を含み、前記第２カバー部材は、前記第２カバー部材の上部を形成する第２上面板と側面を形成する第２側面板を含み、前記第１上面板と前記第２上面板の広さは、各々異なってもよい。
【００４２】
前記第１上面板の広さは、前記第２上面板の広さより狭くてよい。
【００４３】
前記第１カメラモジュールは、前記第１レンズモジュールを収容する第１カバー部材を含み、前記第２カメラモジュールは、前記第２液体レンズを収容する第２カバー部材を含み、前記第１カバー部材は、前記第１カバー部材の上部を形成する第１上面板と側面を形成する第１側面板を含み、前記第２カバー部材は、前記第２カバー部材の上部を形成する第２上面板と側面を形成する第２側面板を含み、前記第１上面板と前記第２上面板の広さは、各々異なってもよい。
【００４４】
前記第１上面板の広さは、前記第２上面板の広さより広くてよい。
【００４５】
本実施形態のデュアルカメラモジュールは、第１カメラモジュールと前記第１カメラモジュールに隣接して配置される第２カメラモジュールを含み、前記第１カメラモジュールは、第１カバー部材；前記第１カバー部材の内側に位置して少なくとも一つのレンズを含む第１レンズホルダー；前記第１レンズホルダーと結合する第１液体レンズ；前記第１液体レンズと電気的に連結される第１基板；前記第１液体レンズの光軸方向上に配置されて前記第１基板に実装される第１イメージセンサーを含み、前記第２カメラモジュールは、第２カバー部材；前記第２カバー部材の内側に位置して少なくとも一つのレンズを含む第２レンズホルダー；前記第２レンズホルダーと結合する第２液体レンズ；前記第２液体レンズと電気的に連結される第２基板；前記第２液体レンズの光軸方向上に配置されて前記第２基板に実装される第２イメージセンサーを含むことができる。
【００４６】
前記第１カバー部材の第１側面と前記第２カバー部材の第２側面は、向かい合うように配置されて、前記第１カバー部材の第１側面と前記第２カバー部材の第２側面との間の最短距離は、前記第１イメージセンサーと前記第２イメージセンサー中少なくとも一つのイメージセンサーの幅より小さくてよい。
【００４７】
前記第１カバー部材の第１側面と前記第２カバー部材の第２側面は、向かい合うように配置されて、前記第１カバー部材の第１側面と前記第２カバー部材の第２側面との間の最短距離は、２ｍｍ以下であり得る。
【００４８】
前記第１液体レンズは、前記第１レンズホルダーの内部または上部に配置されて、前記第２液体レンズは、前記第２レンズホルダーの内部または上部に配置されることができる。
【００４９】
前記第１液体レンズは、互いに接して第１界面を形成する第１液体と第２液体が収容される第１キャビティが形成された第１コアプレート；前記第１コアプレートに配置された第１電極部を含み、前記第２液体レンズは、互いに接して第２界面を形成する第３液体と第４液体が収容される第２キャビティが形成された第２コアプレート；前記第２コアプレートに配置された第２電極部を含むことができる。
【００５０】
前記第１電極部は、少なくとも一部が前記第１コアプレートに配置されて、互に離隔して間隙を有する第１電極と第２電極を含み、前記第１キャビティに配置されて、前記第１電極部に積層された第１絶縁層をさらに備え、前記第２電極部は、少なくとも一部が前記第２コアプレートに配置されて、互に離隔して間隙を有する第３電極と第４電極を含み、前記第２キャビティに配置されて、前記第２電極層に積層された第２絶縁層をさらに含むことができる。
【００５１】
前記第１カバー部材の第１側面と前記第２カバー部材の第２側面は、接することができる。
【００５２】
前記第１カバー部材の第１側面と前記第２カバー部材の第２側面は、接着物質でボンディング結合されることができる。
【００５３】
前記第１基板と前記第２基板は一体で形成されることができる。
【００５４】
前記第１カバー部材と前記第２カバー部材は、一体で形成されて、内部空間を共有して、前記第１レンズホルダーと前記第２レンズホルダーの最短距離は、前記第１イメージセンサーと前記第２イメージセンサー中少なくとも一つのイメージセンサーの幅より小さくてよい。
【００５５】
前記第１カバー部材と前記第２カバー部材は、一体で形成されて、内部空間を共有して、前記第１レンズホルダーと前記第２レンズホルダーの最短距離は、２ｍｍ以下であり得る。
【００５６】
前記第１レンズホルダーと前記第２レンズホルダーは一体で形成されて、前記第１液体レンズと前記第２液体レンズの最短距離は、前記第１イメージセンサーと前記第２イメージセンサー中少なくとも一つのイメージセンサーの幅より小さくてよい。
【００５７】
前記第１レンズホルダーと前記第２レンズホルダーは一体で形成されて、前記第１液体レンズと前記第２液体レンズの最短距離は、２ｍｍ以下であり得る。
【００５８】
前記第１液体レンズと前記第２液体レンズは一体で形成されることができる。
【００５９】
第１カメラモジュールと前記第１カメラモジュールに隣接して配置される第２カメラモジュールを含み、前記第１カメラモジュールは、第１カバー部材；前記第１カバー部材の内側に位置して、第１マグネットと第１コイル部を含む第１レンズ駆動装置；前記第１レンズ駆動装置に結合する第１レンズモジュール；前記第１レンズ駆動装置と電気的に連結された第１基板；前記第１レンズモジュールの光軸方向上に配置されて第１基板に実装される第１イメージセンサーを含み、前記第２カメラモジュールは、第２カバー部材；前記第２カバー部材の内側に位置して少なくとも一つのレンズを含む第２レンズホルダー；前記第２レンズホルダーと結合する第２液体レンズ；前記第２液体レンズと電気的に連結される第２基板；前記第２液体レンズの光軸方向上に配置されて前記第２基板に実装される第２イメージセンサーを含むことができる。
【００６０】
前記第１カバー部材の第１側面と前記第２カバー部材の第２側面は、向かい合うように配置されて、前記第１カバー部材の第１側面と前記第２カバー部材の第２側面との間の最短距離は、前記第１イメージセンサーと前記第２イメージセンサー中少なくとも一つのイメージセンサーの幅より小さくてよい。
【００６１】
前記第１カバー部材の第１側面と前記第２カバー部材の第２側面は、向かい合うように配置されて、前記第１カバー部材の第１側面と前記第２カバー部材の第２側面との間の最短距離は、２ｍｍ以下であり得る。
【００６２】
前記第１カバー部材の第１側面と前記第２カバー部材の第２側面は、接することができる。
【００６３】
前記第１カバー部材の第１側面と前記第２カバー部材の第２側面は、接着物質でボンディング結合されることができる。
【００６４】
前記第１基板と前記第２基板は一体で形成されることができる。
【００６５】
前記第２液体レンズは、前記第２レンズホルダーの内部または上部に配置されることができる。
【００６６】
前記第１カメラモジュールは、前記第１カバー部材の内側に配置されて、前記第１レンズ駆動装置を収容する第１補充カバー部材をさらに備え、前記第１カバー部材と前記第２カバー部材は、一体で形成されて、内部空間を共有して、前記第１補充カバー部材と前記第２レンズホルダーの最短距離は、前記第１イメージセンサーと前記第２イメージセンサー中少なくとも一つのイメージセンサーの幅より小さくてよい。
【００６７】
前記第１カメラモジュールは、前記第１カバー部材の内側に配置されて、前記第１レンズ駆動装置を収容する第１補充カバー部材をさらに備え、前記第１カバー部材と前記第２カバー部材は、一体で形成されて、内部空間を共有して、前記第１補充カバー部材と前記第２レンズホルダーの最短距離は、２ｍｍ以下であり得る。
【００６８】
第１レンズ部と第２レンズ部を含むレンズホルダーモジュール；前記レンズホルダーモジュール下部に配置される基板；前記基板に実装されて前記第１レンズ部の下部に配置される第１イメージセンサーと第２レンズ部の下部に配置される第２イメージセンサー；前記レンズホルダーモジュールと結合されて互いに離隔して液体が収容される第１キャビティと第２キャビティを含む液体レンズ；前記レンズホルダーモジュールと液体レンズを内部に収容するカバー部材を含み、前記第１キャビティは、第１レンズ部光軸上に配置されて、前記第２キャビティは、前記第２レンズ部光軸上に配置されることができる。
【００６９】
第１レンズ部と第２レンズ部を含むレンズホルダーモジュール；前記レンズホルダーモジュール下部に配置される基板；前記基板に実装されて前記第１レンズ部の下部に配置される第１イメージセンサーと第２レンズ部の下部に配置される第２イメージセンサー；前記レンズホルダーモジュールと結合する液体レンズ；前記レンズホルダーモジュールと液体レンズを内部に収容するカバー部材を含み、前記液体レンズは、前記第１イメージセンサーの上部に配置される第１液体レンズと前記第２イメージセンサーの上部に配置される第２液体レンズを含み、前記液体レンズは、互いに離隔して形成された第１キャビティと第２キャビティを含み、前記第１液体レンズと第２液体レンズは、一つのプレートに形成されることができる。
【００７０】
第１カメラモジュールと前記第１カメラモジュールに隣接して配置される第２カメラモジュール；前記第１カメラモジュールと前記第２カメラモジュールを内部に共に収容するカバー部材を含み、前記第１カメラモジュールは、少なくとも一つのレンズを含む第１レンズホルダー；前記第１レンズホルダーと結合する第１液体レンズ；前記第１液体レンズと電気的に連結される第１基板；前記第１液体レンズの光軸方向上に配置されて前記第１基板に実装される第１イメージセンサーを含み、前記第２カメラモジュールは、第２マグネットと第２コイル部を含む第２レンズ駆動装置；前記第２レンズ駆動装置に結合する第２レンズモジュール；前記第２レンズ駆動装置と電気的に連結された第２基板；前記第２レンズモジュールの光軸方向上に配置されて第２基板に実装される第２イメージセンサーを含み、前記第１カメラモジュールの画角は、前記第２カメラモジュールの画角より小さくてよい。
【００７１】
本実施形態のカメラモジュールは、二つ以上の液体を含み第１界面を形成する第１液体レンズと少なくとも一つ以上の固体レンズを含む第１レンズモジュール；二つ以上の液体を含み第２界面を形成する第２液体レンズと少なくとも一つ以上の固体レンズを含む第２レンズモジュール；及び第１レンズモジュールと第２レンズモジュールを駆動制御する信号を生成する駆動部を含み、駆動部から生成される同じ信号を第１液体レンズ及び第２液体レンズに伝達して、第１レンズモジュールと第２レンズモジュールは、各々異なる画角を持つことを特微とする。
【００７２】
本実施形態のカメラモジュールは、二つ以上の液体を含み第１界面を形成する第１液体レンズと少なくとも一つ以上の固体レンズを含む第１レンズモジュール；二つ以上の液体を含んで第２界面を形成する第２液体レンズと少なくとも一つ以上の固体レンズを含む第２レンズモジュール；第１レンズモジュールと第２レンズモジュールを駆動制御する信号を生成する駆動部；及び駆動部から生成される信号を第１液体レンズ及び第２液体レンズの中何れかの液体レンズに選択的に伝達するスイッチング部を含み、第１レンズモジュールと第２レンズモジュールは、各々異なる画角を持つことを特微とする。
【００７３】
駆動部は、位置及び方向を測定するセンサーモジュール（ｓｅｎｓｏｒ  ｍｏｄｕｌｅ）；第１界面及び第２界面が変わることによって手振れ補正を行うＯＩＳコントローラー（Ｏｐｔｉｃａｌ  Ｉｍａｇｅ  Ｓｔａｂｉｌｉｚａｔｉｏｎ  ｃｏｎｔｒｏｌｅｒ）；第１液体レンズ及び第２液体レンズの駆動のための電圧を出力する電圧ドライバー（ｖｏｌｔａｇｅ  ｄｒｉｖｅｒ）；及び第１レンズモジュール及び第２レンズモジュールと同期化を行うためのクロック（ｃｌｏｃｋ）信号を生成するクロックモジュール（ｃｌｏｃｋ  ｍｏｄｕｌｅ）を含むことを特微とする。
駆動部から生成される同じ信号を第１液体レンズ及び第２液体レンズに伝達することは、駆動部内の電圧ドライバーから出力された同じ電圧値を第１液体レンズ及び第２液体レンズに伝達することであり、第１レンズモジュール及び第２レンズモジュールは、同じフォーカス（ｆｏｃｕｓ）を持つことを特微とする。
【００７４】
駆動部は、位置及び方向を測定するセンサーモジュール；第１界面及び第２界面が変わることによって手振れ補正を行うＯＩＳコントローラー；第１液体レンズ及び第２液体レンズの駆動のための電圧を出力する電圧ドライバー；第１レンズモジュール及び第２レンズモジュールと同期化を行うためのクロック信号を生成するクロックモジュール；及びスイッチング部に含まれた二つのスイッチ中何れかのスイッチを開放（ｏｐｅｎ）させて、残りのスイッチを短絡（ｓｈｏｒｔ）させる動作を設定された時間の間繰り返すコントローラーを含むことを特微とする。
【００７５】
第１液体レンズは、第１界面を形成する二つ以上の液体を含み、電圧の印加を受けて前記第１界面の形状が調節されて、第２液体レンズは、第２界面を形成する二つ以上の液体を含み、電圧の印加を受けて第１界面の形状が調節されることを特微とする。
【００７６】
本実施形態のカメラモジュールの動作方法は、第１レンズモジュールで、第１界面を形成する二つ以上の液体を含み、電圧の印加を受けて第１界面の形状を調節する段階；第２レンズモジュールで、第２界面を形成する二つ以上の液体を含み、電圧の印加を受けて第２界面の形状を調節する段階；駆動部で、第１レンズモジュールと第２レンズモジュールの駆動を制御する信号を生成する段階；及び駆動部から生成される同じ信号を第１液体レンズ及び第２液体レンズに伝達する段階を含み、第１レンズモジュールと第２レンズモジュールは、各々異なる画角を持つことを特微とする。
【００７７】
本実施形態のカメラモジュールの動作方法は、第１レンズモジュールで、第１界面を形成する二つ以上の液体を含み、電圧の印加を受けて第１界面の形状を調節する段階；第２レンズモジュールで、第２界面を形成する二つ以上の液体を含み、電圧の印加を受けて第２界面の形状を調節する段階；駆動部で、第１レンズモジュールと第２レンズモジュールの駆動を制御する信号を生成する段階；スイッチング部で、駆動部から生成される信号を第１液体レンズ及び第２液体レンズ中何れかの液体レンズに選択的に伝達する段階を含み、第１レンズモジュールと第２レンズモジュールは、各々異なる画角を持つことを特徴をする。
【００７８】
駆動部で、第１レンズモジュールと第２レンズモジュールの駆動を制御する信号を生成する段階は、センサーモジュールで、位置及び方向を測定する段階；ＯＩＳコントローラーで、第１界面及び第２界面が変わることによって手振れ補正を行う段階；電圧ドライバーで、第１液体レンズ及び第２液体レンズの駆動のための電圧を出力する段階；及びクロックモジュールで、第１レンズモジュール及び第２レンズモジュールと同期化を行うためのクロック信号を生成する段階を含むことを特微とする。
【００７９】
駆動部から生成される同じ信号を第１液体レンズ及び第２液体レンズに伝達することは、駆動部内の電圧ドライバーから出力された同じ電圧値を第１液体レンズ及び第２液体レンズに伝達することであり、第１レンズモジュール及び第２レンズモジュールは、同じフォーカスを持つことを特微とする。
【００８０】
駆動部で、第１レンズモジュールと第２レンズモジュールの駆動を制御する信号を生成する段階は、センサーモジュールで、位置及び方向を測定する段階；ＯＩＳコントローラーで、第１界面及び第２界面が変わることによって手振れ補正を行う段階；電圧ドライバーで、第１液体レンズ及び第２液体レンズの駆動のための電圧を出力する段階；クロックモジュールで、第１レンズモジュール及び第２レンズモジュールと同期化を行うためのクロック信号を生成する段階；及びコントローラーで、スイッチング部に含まれた二つのスイッチ中何れかのスイッチを開放させて、残りのスイッチを短絡させる動作を設定された時間の間繰り返す段階を含むことを特微とする。
【００８１】
第１液体レンズは、第１界面を形成する二つ以上の液体を含み、電圧の印加を受けて第１界面の形状が調節されて、第２液体レンズは、第２界面を形成する二つ以上の液体を含み、電圧の印加を受けて第１界面の形状が調節されることを特微とする。
【発明の効果】
【００８２】
本実施形態のデュアルカメラモジュールは、二つのシングルカメラモジュールを含み、各シングルカメラモジュールが撮影した二つ以上のイメージを合成して、高分解能、高解像力または高ＭＴＦを持つ合成イメージを生成するカメラモジュールである。従って、各シングルカメラモジュールが近接して配置されることが求められる。シングルカメラモジュールが離隔するほど時差が大きくなってイメージマッチングがスムーズに行われないためである。
【００８３】
本実施形態のデュアルカメラモジュールでは、第１カメラモジュールと第２カメラモジュール中少なくとも一つには液体レンズカメラモジュールが使われるので、相互間電磁気干渉なしにオートフォーカス機能と手振れ補正機能を行うことができて、さらに近接して配置されることができる。さらにデュアルカメラモジュールを構成する部品を最小化してコンパクトな構造を持つ。
【００８４】
本実施形態は、駆動部と二つのカメラモジュールとの間にスイッチング部を備えて、スイッチング部のスイッチを開放または短絡させることによって、一つハードウェアでＡＦとＯＩＳ機能を行うことができる効果がある。
【００８５】
本実施形態は、駆動部と二つのカメラモジュールを連結するスイッチング部のスイッチをスイッチングして一つのハードウェアでデュアルカメラを動作させることができて、カメラの体積及び製作単価を減らすことができる効果がある。
【図面の簡単な説明】
【００８６】
【図１】液体レンズカメラモジュールを示した斜視図である。
【図２】液体レンズカメラモジュールを示した分解斜視図である。
【図３】液体レンズを示した分解斜視図である。
【図４】液体レンズを示した断面図である。
【図５】駆動カメラモジュールを示した斜視図である。
【図６】駆動カメラモジュールを示した分解斜視図である。
【図７】駆動カメラモジュールのオートフォーカス機能を示した概念図である。
【図８】駆動カメラモジュールの手振れ補正機能を示した概念図である。
【図９】本第１、２、３実施形態のデュアルカメラモジュールを示した斜視図である。
【図１０】本第１実施形態のデュアルカメラモジュールを示した概念図である。
【図１１】本第１実施形態の第１変形例のデュアルカメラモジュールを示した概念図である。
【図１２】本第１実施形態の第２変形例のデュアルカメラモジュールを示した概念図である。
【図１３】本第１実施形態の第３変形例のデュアルカメラモジュールを示した概念図である。
【図１４】本第１実施形態の第４変形例のデュアルカメラモジュールを示した概念図である。
【図１５】本第１実施形態の第５変形例のデュアルカメラモジュールを示した概念図である。
【図１６】本第１実施形態の第５変形例のカバー部材とレンズホルダーと液体レンズを示した概念図である。
【図１７】本第２実施形態のデュアルカメラモジュールを示した概念図である。
【図１８】本第２実施形態の第１変形例のデュアルカメラモジュールを示した概念図である。
【図１９】本第２実施形態の第２変形例のデュアルカメラモジュールを示した概念図である。
【図２０】本第２実施形態の第３変形例のデュアルカメラモジュールを示した概念図である。
【図２１】本第３実施形態のデュアルカメラモジュールを示した概念図である。
【図２２】本第３実施形態の第１変形例のデュアルカメラモジュールを示した概念図である。
【図２３】本第３実施形態の第２変形例のデュアルカメラモジュールを示した概念図である。
【図２４】本第３実施形態の第３変形例のデュアルカメラモジュールを示した概念図である。
【図２５】本第１、２、３実施形態のデュアルカメラモジュールで撮影するのを示した概念図である。
【図２６】合成イメージをデジタルズームする場合、分解能の変化を示した概念図である。
【図２７】第４実施形態に係るカメラモジュールの構成を図示したブロック図である。
【図２８】第４実施形態に係る第１レンズモジュール及び第２レンズモジュールの構成を図示したブロック図である。
【図２９】スイッチング部に含まれたスイッチの動作を説明するための図である。
【図３０】スイッチング部に含まれたスイッチの動作を説明するための図である。
【図３１】スイッチング部に含まれたスイッチの動作を説明するための図である。
【図３２】スイッチング部に含まれたスイッチの動作を説明するための図である。
【図３３】第４実施形態に係るカメラモジュールの第１動作順序を説明するためのフローチャートである。
【図３４】第４実施形態に係るカメラモジュールの第２動作順序を説明するためのフローチャートである。
【発明を実施するための形態】
【００８７】
以下、本発明の一部実施形態を例示的な図面を通して説明する。各図の構成要素に参照符号を記載することにおいて、同じ構成要素に対してはたとえ異なる図面上に表示されてもできるだけ同じ符号で表示する。さらに、本発明の実施形態を説明するにあたり、関連した公示構成または機能に対する具体的な説明が本発明の実施形態に対する理解を妨げると判断される場合にはその詳細な説明は省略する。
【００８８】
さらに、本発明の実施形態の構成要素を説明するにあたり、第１、第２、Ａ、Ｂ、（ａ）、（ｂ）等の用語を用いることができる。このような用語は、その構成要素を別の構成要素と区別するためであり、その用語によって該当構成要素の本質や順番または順序などが限定されない。ある構成要素が他の構成要素に“連結”、“結合”または“接続”すると記載された場合、その構成要素はその別の構成要素に直接的に連結、結合または接続されてもよいが、その構成要素とその別の構成要素との間にさらに別の構成要素が“連結”、“結合”または“接続”されてもよいものと理解されなければならない。
【００８９】
以下で使われる、ＭＴＦ（Ｍｏｄｕｌａｔｉｏｎ  Ｔｒａｎｓｆｅｒ  Ｆｕｎｃｔｉｏｎ）は、イメージの品質を評価する指標で、高い空間周波数を持つかコントラストが強く表現されるかが重要な測定対象である。イメージのＭＴＦが高いほど空間周波数の分解能とコントラストの伝達力が良いと評価される。
【００９０】
以下で使われる、オートフォーカス（ＡＦ，Ａｕｔｏ  Ｆｏｃｕｓ）機能は、被写体の隔離距離により液体レンズの界面を変化させたりレンズ駆動装置によってレンズモジュールを光軸方向に稼動することによって焦点を合わせる機能と定義する。
【００９１】
以下で使われる、手振れ補正（ＯＩＳ，Ｏｐｔｉｃａｌ  ｉｍａｇｅ  ｓｔａｂｉｌｉｚａｔｉｏｎ）機能は、外力によって発生する振動（動き）を相殺するように液体レンズの界面を変化させたりレンズ駆動装置によってレンズモジュールを光軸に垂直方向に稼動またはチルティング（ｔｉｌｔｉｎｇ）する機能と定義する。
【００９２】
以下では、図面に示したｘ軸方向を前後方向と定義する。この場合、ｘ軸の矢印方向は後方である。図面に示したｙ軸方向を左右方向と定義する。この場合、ｙ軸の矢印方向は右側である。図面に示したｚ軸方向を上下方向と定義する。この場合、ｚ軸の矢印方向は下側である。ｚ軸方向は光軸方向と混用されることができる。
【００９３】
以下では、図面を参照して液体レンズカメラモジュール１００について説明する。液体レンズカメラモジュール１００は、本第１実施形態のデュアルカメラモジュール１０００の第１、２カメラモジュール１、２として使われることができて、本第２実施形態のデュアルカメラモジュール２０００の第２カメラモジュール２として使われることができて、本第３実施形態のデュアルカメラモジュール３０００の第１カメラモジュール１として使われることができる。図１は、液体レンズカメラモジュールを示した斜視図で、図２は、液体レンズカメラモジュールを示した分解斜視図で、図３は、液体レンズを示した分解斜視図で、図４は、液体レンズを示した断面図である。
【００９４】
以下、液体レンズカメラモジュール１００の構造について説明する。
【００９５】
液体レンズカメラモジュール１００は、カバー部材１１０、レンズホルダー１２０、レンズ１３０、液体レンズ１４０、イメージセンサー１５０、基板１６０を含むことができる。
【００９６】
カバー部材１１０は、外装部材であり得る。カバー部材１１０は、金属材質であり得る。この場合、カバー部材１１０は、電磁波妨害（ＥＭＩ，Ｅｌｅｃｔｒｏ  Ｍａｇｎｅｔｉｃ  Ｉｎｔｅｒｆｅｒｅｎｃｅ）を遮断することができる。つまり、カバー部材１１０は、外部の電磁気波が内側に流入するのを遮断することができる。さらにカバー部材１１０の内部で発生した電磁気波が外側に放出されるのを遮断することができる。
【００９７】
カバー部材１１０は中空のブロック形態であり得る。カバー部材１１０は、後方の側面１１２を含むことができる。後方の側面１１２は、カバー部材１１０の後方に配置される側面であり得る。カバー部材１１０は、前方の側面１１３を含むことができる。前方の側面１１３は、カバー部材１１０の前方に配置される側面であり得る。但し、カバー部材１１０の形態がこれに限定されず、レンズホルダー１２０をカバーすることができる形態であればいかなる形態でも適用されることができる。
【００９８】
カバー部材１１０は、透過窓１１１が形成された上面板と上面板から下側に延びる側面板を含むことができる。側面板は、前方の側面１１３または後方の側面１１２を含むことができる。前方の側面１１３と後方の側面１１２は、互いに向かい合うか平行するように形成されることができる。上面板または側面板は、レンズホルダー１２０または基板１７０と結合可能である。
【００９９】
カバー部材１１０の上面には透過窓１１１が形成されることができる。透過窓１１１は、円形の開口で後述する液体レンズ１４０の光軸と整列することができる。その結果、被写体を反射した光は、透過窓１１１を通過してレンズ１３０及び液体レンズ１４０に移動することができる。カバー部材１１０の下面は、開放されて開口を形成することができる。カバー部材１１０の内部にはレンズホルダー１２０が位置することができる。カバー部材１１０の内部にはレンズホルダー１２０が収容されることができる。カバー部材１１０は、後述する基板１７０により支持されることができる。カバー部材１１０は、基板１７０と結合して固定されることができる。この場合、基板１７０は、カバー部材１１０の下面開口を閉鎖することができる。
【０１００】
レンズホルダー１２０は、カバー部材１１０の内側に位置することができる。レンズホルダー１２０は、中央にレンズホール１２１が形成されたブロック形態であり得る。レンズホルダー１２０は、少なくとも一つのレンズを含むことができる。レンズホール１２１は、レンズホルダー１２０を光軸方向に貫いて形成されることができる。レンズホール１２１にはレンズモジュール１３０及び／または液体レンズ１４０が収容されることができる。レンズモジュール１３０は、少なくとも一つのレンズを含むことができる。但し、第１レンズホルダー１２０の形態がこれに限定されず、レンズ１３０及び／または液体レンズ１４０を収容できる形態であればいかなる形態でも適用されることができる。一実施形態でレンズモジュール１３０は、少なくとも一つ以上のレンズを含むレンズバレルを収容することができる。また、レンズモジュール１３０とレンズバレルは、一体型で形成されて、レンズバレルなしにレンズモジュール１３０に少なくとも一つ以上のレンズが配置または結合することができる。
【０１０１】
液体レンズ１４０は、エレクトロウェッティング（ｅｌｅｃｔｒｏｗｅｔｔｉｎｇ）現象によって液体または２種の液体間の界面の形状が変化する可変焦点レンズである。液体レンズ１４０は、レンズホルダー１２０の内部のレンズホール１２１に収容されるかレンズホルダー１２０の上部または下部に配置されることができる。液体レンズ１４０は、レンズホルダー１２０に結合して収容されることができる。液体レンズ１４０は、レンズホール１２０の中間に配置されることができる。つまり、液体レンズ１４０は、レンズモジュール１３０の複数のレンズの間に挿入されることができる。液体レンズ１４０は、レンズホルダー１２０の上部に配置されることができる。つまり、液体レンズ１４０は、レンズモジュール１３０の複数のレンズの上部に配置されることができる。液体レンズ１４０は、基板１６０と連結されることができる。従って、液体レンズ１４０は、基板１６０から電流の供給を受けることができる。液体レンズ１４０は、上部カバー１４１、コアプレート１４２、キャビティ１４３、電極部１４４、絶縁層１４８及び下部カバー１４９を含むことができる。
【０１０２】
上部カバー１４１は、コアプレート１４２の上部に配置されることができる。上部カバー１４１は、コアプレート１４２と結合することができる。上部カバー１４１の下面とコアプレート１４２の上面は、接することができる。従って、上部カバー１４１は、キャビティ１４３の上部を閉鎖することができる。また、上部カバー１４１とコアプレート１４２との間には電極部１４４及び／または絶縁層１４８が配置されることができる。上部カバー１４１の材質は、非伝導性であり得る。上部カバー１４１の材質は、ガラスであり得る。上部カバー１４１は、プレート形態であり得る。上部カバー１４１の下面中央には溝が形成されていてもよい。上部カバー１４１の溝は、キャビティ１４３と連通することができる。その結果、キャビティ１４３の上部に配置された第１液体（Ｌ１）は、上部カバー１４１の溝に満たされることができる。
【０１０３】
コアプレート１４２は、厚さを持つプレート形態で中央にはキャビティ１４３が形成されることができる。コアプレート１４２には光軸上にキャビティ１４３が形成されることができる。キャビティ１４３は、液体レンズカメラモジュール１００の光経路上に位置することができる。キャビティ１４３は、コアプレート１４２を上下に貫くことができる。キャビティ１４３の水平断面積は、円形であり得る。キャビティ１４３の水平断面積は、下部に行くほど狭くなることができる。つまり、キャビティ１４３は、傾斜していてもよい。またキャビティ１４３が逆に形成されてキャビティ１４３の水平断面積は、上部に行くほど狭くなることができる。キャビティ１４３には第１液体（Ｌ１）と第２液体（Ｌ２）が収容されることができる。第１液体（Ｌ１）と第２液体（Ｌ２）は、互いに混合されなくてよい。第１液体（Ｌ１）は、伝導性液体であり得る。第１液体（Ｌ１）は、水であり得る。第２液体（Ｌ２）は、非伝導性液体であり得る。第２液体（Ｌ２）は、オイルであり得る。第２液体（Ｌ２）は、シリコンであり得る。第１液体（Ｌ１）と第２液体（Ｌ２）の比重は互いに同じか類似してよい。従って、キャビティ１４３で第１液体（Ｌ１）と第２液体（Ｌ２）に及ぼす重力の影響は微小であり得る。さらにキャビティ１４３では第１液体（Ｌ１）と第２液体（Ｌ２）の表面張力が重力を支配することができる。第１液体（Ｌ１）と第２液体（Ｌ２）は、互いに接して第１界面（Ａ）を形成することができる。第１液体（Ｌ１）は、第２液体（Ｌ２）の上部に位置することができる。つまり、第１液体（Ｌ１）と第２液体（Ｌ２）は、上下に分離して第１界面１５６を形成することができる。
【０１０４】
電極部１４４は、コアプレート１４２に配置されることができる。電極部１４４の少なくとも一部は、コアプレート１４２に配置されることができる。電極部１４４は、コアプレート１４２にコーティングされた電極物質であり得る。電極部１４４は、第１電極１４５と第２電極１４６を含むことができる。第１電極１４５は、コアプレート１４２の上面に配置されることができる。第２電極１４６は、コアプレート１４２のキャビティー１４３の内壁に配置されることができる。第２電極１４６は、コアプレート１４２の下面とキャビティ１４３の内面とコアプレート１４２の上面に配置されることができる。第２電極１４６は、コアプレート１４２の下面とキャビティ１４３の内面とコアプレート１４２の上面でキャビティ１４３の周辺に連結されて配置されることができる。第１電極１４５と第２電極１４６は、互いに接しなくてよい。その結果、コアプレート１４２の上面には間隙１４７が存在することができる。間隙１４７には絶縁物質が配置されることができる。第１電極１４５は、電気的に連結された一つのセクターで形成されることができる。また、第１電極１４５は、複数のセクターで分離して形成されることができる。第１電極１４５と第２電極１４６は、互いに離隔して第１電極１４５と第２電極１４６との間には絶縁層１４８が配置されることができる。
【０１０５】
第１電極１４５は、二つまたは四つのセクターで分離することができる。第１電極１４５はコアプレート１４２の中心を基準として前後左右で対称される四つのセクターで分離することができる。第２電極１４６は、一つまたは二つ以上の複数のセクターで分離して形成されることができる。第２電極１４６は、四つのセクターで分離することができる。第２電極１４６は、コアプレート１４２の中心を基準に前後左右に対称とされる四つのセクターで分離することができる。第１及び２電極１４５、１４６は、基板１６０と電気的に連結されることができる。第１及び２電極１４５、１４６の極性が反対となるように電源が供給されることができる。また、第１及び２電極１４５、１４６の中一部セクターにだけ電源が供給されることができる。また、供給される電源の強度は調節されることができる。
【０１０６】
絶縁層１４８は、電極部１４４に配置されることができる。絶縁層１４８は、電極部１４４に積層されることができる。絶縁層１４８は、電極部１４４の少なくとも一部に積層されることができる。絶縁層１４８は、下部カバー１４９の一部に配置されることができる。絶縁層１４８は、コアプレート１４２の上面のキャビティ１４３の周りで放射状に延びて第１電極１４５と第２電極１４６に配置されることができる。絶縁層１４８は、コアプレート１４２の上面のキャビティ１４３の周りで放射状に延びて第１電極１４５と第２電極１４６に積層されることができる。絶縁層１４８は、キャビティ１４３の内面に沿って第２電極１４６に配置されることができる。絶縁層１４８は、キャビティ１４３の内面に沿って第２電極１４６に積層されることができる。絶縁層１４８は、下部カバー１４９の上面でキャビティ１４３と対向する地点に配置されることができる。絶縁層１４８は、コーティング絶縁物質であり得る。絶縁層１４８は、一体で第１及び第２電極１４６に積層されて、下部カバー１４９に配置されることができる。従って、絶縁層１４８は、籠のような形態を持って第１液体（Ｌ１）と第２液体（Ｌ２）を収容することができる。さらに絶縁層１４８は、第２電極１４６と第１及び第２液体（Ｌ１、Ｌ２）の間に介在することができる。しかしコアプレート１４２の上面に積層された絶縁層１４８は、上述した上部カバー１４１に形成された溝よりも放射状外側に延びないため、上部カバー１４１の溝に満たされた第１液体（Ｌ１）は、第１電極１４５と接することができる。その結果、電極部１４４に電源が印加されると第１液体（Ｌ１）にエレクトロウェッティング（ｅｌｅｃｔｒｏｗｅｔｔｉｎｇ）現象が発生する可能性がある。従って、メニスカス状態にある第１液体（Ｌ１）と第２液体（Ｌ２）の界面（Ａ）の形態は変わることができる。
【０１０７】
下部カバー１４９は、コアプレート１４２の下部に配置されることができる。下部カバー１４９は、コアプレート１４２と結合することができる。下部カバー１４９の上面とコアプレート１４２の下面は、接するか結合することができる。下部カバー１４９の上面とコアプレート１４２の下面は、融着するか、ボンディング及び接触して結合することができる。従って、下部カバー１４９は、キャビティ１４３の下部を閉鎖することができる。下部カバー１４９の材質は、非伝導性であり得る。下部カバー１４９の材質は、ガラスであり得る。下部カバー１４９は、プレート形態であり得る。
【０１０８】
イメージセンサー１５０は、基板１６０の上面に配置されることができる。イメージセンサー１５０は基板１６０に実装されることができる。イメージセンサー１５０は液体レンズ１４０の光軸上に配置されることができる。従って、イメージセンサー１５０は液体レンズ１４０を透過した光を取得することができる。イメージセンサー１６０は、照射された光をイメージに変換することができる。イメージは、光信号が変換されたデジタル信号だけでなく、このようなデジタル信号がディスプレイ装置を介して可視化した光で出力された結果まで含む広義の概念であり得る。イメージセンサー１５０は、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤであり得る。但し、イメージセンサー１５０の種類がこれに制限されない。
【０１０９】
基板１６０は、プリント基板（ＰＣＢ，Ｐｒｉｎｔｅｄ  Ｃｉｒｃｕｉｔ  Ｂｏａｒｄ）であり得る。基板１６０は、カバー部材１１０の下部に配置されることができる。この場合、基板１６０は、カバー部材１１０の底面開口を閉鎖することができる。また、基板１６０は、カバー部材１００を支持することができる。基板１６０は、液体レンズ１４０と電気的に連結されることができる。基板１６０は、連結機板１７０により液体レンズ１４０と電気的に連結されることができる。この場合、連結機板１７０は、フレキシブルプリント基板（ＦＰＣＢ，Ｆｌｅｘｉｂｌｅ  Ｐｒｉｎｔｅｄ  Ｃｉｒｃｕｉｔ  Ｂｏａｒｄ）であり得る。この場合、基板１６０は、電極部１４４に電源を印加することができる。基板１６０にはイメージセンサー１５０が実装されることができる。この場合、基板１６０は、イメージセンサー１５０から生成されたイメージの伝送を受けることができる。
【０１１０】
以下、液体レンズカメラモジュール１００の作用と効果について説明する。
【０１１１】
液体レンズカメラモジュール１００は、オートフォーカス機能及び／または手振れ補正機能を行うことができる。
【０１１２】
液体レンズカメラモジュール１００は、界面（Ａ）の形状が変わってオートフォーカス機能を行うことができる。基板１６０は、電極部１４４に電源を印加して界面（Ａ）の形状を変化させることができる。第１電極１４５と第２電極１４６が、異なる極性になるように電源が印加されると、エレクトロウェッティング現象によって界面（Ａ）の形状が変化することができる。この場合、界面（Ａ）の曲率が変化することができる。さらに印加される電力の強度を調節して界面（Ａ）の曲率を調節することができる。液体レンズ１４０の界面（Ａ）の曲率が変化すれば液体レンズ１４０の焦点距離が変化することができる。その結果、液体レンズカメラモジュール１００は、液体レンズ１４０と被写体との間の距離に対応して液体レンズ１４０の焦点距離が変わってオートフォーカス機能を行うことができる。焦点距離は、液体レンズ１４０の光学的中心（Ｏｐｔｉｃａｌ  ｃｅｎｔｅｒ、第２中点）から焦点（イメージセンサー１５０）までの距離である有効焦点距離（Ｅｆｆｅｃｔｉｖｅ  Ｆｏｃａｌ  Ｌｅｎｇｔｈ）と定義されることができる。液体レンズ１４０の焦点距離は、被写体が液体レンズ１４０に近接するほど短くなることができる。オートフォーカス機能により液体レンズカメラモジュール１００は、被写体の隔離距離に関係なく焦点を合わせてＭＴＦ値が高いイメージを撮影することができる。
【０１１３】
液体レンズカメラモジュール１００は、界面（Ａ）の形状が変わって手振れ補正機能を行うことができる。基板１６０は、電極部１４４に電源を印加して界面（Ａ）の形状を変化させることができる。第１電極１４５は、セクター別に電圧を異なるようにして電源を印加し、第２電極１４６は全セクターに均等な電圧で電源を印加すれば、エレクトロウェッティング現象によって界面（Ａ）が変化することができる。この場合、界面（Ａ）の中心は、光軸方向と垂直に偏向することができる。つまり、界面（Ａ）は、チルティング（ｔｉｎｔｉｎｇ）される効果を示すことができる。さらに印加される電圧の強度を調節して界面（Ａ）の中心が偏向する程度を調節することができる。その結果、液体レンズカメラモジュール１００の揺れを補正することができる。手振れ補正機能により液体レンズカメラモジュール１００は、外力による揺れを補正してＭＴＦ値が高いイメージを撮影することができる。
【０１１４】
液体レンズカメラモジュール１００が、本第１、３実施形態のデュアルカメラモジュール１０００、３０００の第１カメラモジュール１として使われる場合、カバー部材１１０は“第１カバー部材”と、透過窓１１１は“第１透過窓”と、後方の側面１１２は“第１側面”と、前方の側面１１３は“前方の側面”と、レンズホルダー１２０は“第１レンズホルダー”と、レンズホール１２１は“第１レンズホール”と、レンズモジュール１３０は“第１レンズモジュール”と、液体レンズ１４０は“第１液体レンズ”と、上部カバー１４１は“第１上部カバー”と、コアプレート１４２は“第１コアプレート”と、キャビティ１４３は“第１キャビティ”と、電極部１４４は“第１電極部”と、第１及び第２電極１４５、１４６は同じで、間隙１４７は“第１間隙”と、絶縁層１４８は“第１絶縁層”と、第１、２液体（Ｌ１、Ｌ２）は同じで、界面（Ａ）は“第１界面”と、下部カバー１４９は“第１下部カバー”と、イメージセンサー１５０は“第１イメージセンサー”と、基板１６０は“第１基板”と呼称される。
【０１１５】
液体レンズカメラモジュール１００が、本第１、２実施形態のデュアルカメラモジュール１０００、２０００の第２カメラモジュール２として使われる場合、カバー部材１１０は“第２カバー部材”と、透過窓１１１は“第２透過窓”と、後方の側面１１２は“後方の側面”と、前方の側面１１３は“第２前方の側面”と、レンズホルダー１２０は“第２レンズホルダー”と、レンズホール１２１は“第２レンズホール”と、レンズモジュール１３０は“第２レンズモジュール”と、液体レンズ１４０は“第２液体レンズ”と、上部カバー１４１は“第２上部カバー”と、コアプレート１４２は“第２コアプレート”と、キャビティ１４３は“第２キャビティ”と、電極部１４４は“第２電極部”と、第１電極１４５は“第３電極”と、第２電極１４６は“第４電極”と、間隙１４７は“第２間隙”と、絶縁層１４８は“第２絶縁層”と、第１液体（Ｌ１）は“第３液体”と、第２液体（Ｌ２）は“第４液体”と、界面（Ａ）は“第２界面”と、下部カバー１４９は“第２下部カバー”と、イメージセンサー１５０は“第２イメージセンサー”と、基板１６０は“第２基板”と呼称される。
【０１１６】
以下では、図面を参照して駆動カメラモジュール１００について説明する。駆動カメラモジュール１００は、本第２実施形態のデュアルカメラモジュール２０００の第１カメラモジュール１として使われることができて、本第３実施形態のデュアルカメラモジュール３０００の第２カメラモジュール２として使われることができる。図５は、駆動カメラモジュールを示した斜視図で、図６は、駆動カメラモジュールを示した分解斜視図で、図７は、駆動カメラモジュールのオートフォーカス機能を示した概念図で、図８は、駆動カメラモジュールの手振れ補正機能を示した概念図で、図９は、本第１、２、３実施形態のデュアルカメラモジュールを示した斜視図である。
【０１１７】
以下、駆動カメラモジュール２００の構造について説明する。
【０１１８】
駆動カメラモジュール２００は、カバー部材２１０、レンズモジュール２２０、レンズ駆動装置２３０、イメージセンサー２４０及び基板２５０を含むことができる。
【０１１９】
カバー部材２１０は、外装部材であり得る。カバー部材２１０は、金属材質であり得る。この場合、カバー部材２１０は、電磁波妨害（ＥＭＩ，Ｅｌｅｃｔｒｏ  Ｍａｇｎｅｔｉｃ  Ｉｎｔｅｒｆｅｒｅｎｃｅ）を遮断することができる。つまり、カバー部材２１０は、外部の電磁気波が内側に流入するのを遮断することができる。さらにカバー部材２１０の内部で発生した電磁気波が外側に放出されるのを遮断することができる。
【０１２０】
但し、カバー部材２１０が金属材質である場合、後述するハウジング２３２のマグネット２３３と反応してハウジング２３２の稼動を妨害することができる。従って、カバー部材２１０は、非金属材質であり得る。この場合、カバー部材２１０は、電磁波妨害（ＥＭＩ，Ｅｌｅｃｔｒｏ  Ｍａｇｎｅｔｉｃ  Ｉｎｔｅｒｆｅｒｅｎｃｅ）を遮断する機能を行うことができないことがある。
【０１２１】
カバー部材２１０は、中空のブロック形態であり得る。カバー部材２１０は、後方の側面２１２を含むことができる。後方の側面２１２は、カバー部材２１０の後方に配置される側面であり得る。カバー部材２１０は、前方の側面２１３を含むことができる。前方の側面２１３は、カバー部材２１０の前方に配置される側面であり得る。但し、カバー部材２１０の形態がこれに限定されず、レンズ駆動装置２３０をカバーすることができる形態であればいかなる形態でも適用されることができる。
【０１２２】
カバー部材２１０の上面には透過窓２１１が形成されることができる。透過窓２１１は、円形の開口で後述するレンズモジュール２２０の光軸と整列することができる。その結果、被写体を反射した光は、透過窓２１１を通過してレンズモジュール２２０に移動することができる。カバー部材２１０の下面は開放されて開口を形成することができる。カバー部材２１０の内部にはレンズ駆動装置２３０が位置することができる。カバー部材２１０の内部にはレンズ駆動装置２３０が収容されることができる。カバー部材２１０は、後述する基板２５０により支持されることができる。カバー部材２１０は、基板２５０と結合して固定されることができる。この場合、基板２５０は、カバー部材２１０の下面開口を閉鎖することができる。
【０１２３】
レンズモジュール２２０は、少なくとも一つ以上のレンズが含まれた概念であり得る。レンズモジュール２２０は、レンズ駆動装置２３０に収容されることができる。レンズモジュール２００は、ボビン２３１に結合することができる。この場合、接着、ねじ結合などの結合方式が使われることができる。レンズモジュール２２０は、レンズ駆動装置２３０により稼動することができる。この場合、レンズモジュール２２０は、光軸方向に移動するか光軸に垂直方向に移動するかチルティング（ｔｉｌｔｉｎｇ）することができる。
【０１２４】
レンズ駆動装置２３０は、カバー部材２１０の内部に収容されることができる。レンズ駆動装置２３０は、基板２５０により支持されることができる。レンズ駆動装置２３０の内部にはレンズモジュール２２０が収容されることができる。レンズ駆動装置２３０は、マグネット２３３とコイル部２３４の電磁気的相互作用によってレンズモジュール２２０を稼動させることができる。レンズ駆動装置２３０は、ボビン２３１、ハウジング２３２、マグネット２３３、コイル部２３４、連結部材２３５、支持部材２３６及びべース２３７を含むことができる。
【０１２５】
ボビン２３１は、ハウジング２３２の内部に収容されることができる。ボビン２３１は、ハウジング２３２と連結部材２３５により連結されることができる。この場合、ボビン２３１は、弾性支持されることができる。ボビン２３１の内部にはレンズモジュール２２０が収容されることができる。ボビン２３１は、中空であり得る。ボビン２３１は、中空の円筒形態であり得る。ボビン２３１の側面中央にはコイル部２３４の巻線コイルが配置されることができる。ボビン２３１の上端または下端には連結部材２３５が配置されることができる。この場合、ボビン２３１は、光軸方向に移動できるように弾性支持されることができる。
【０１２６】
ハウジング２３２は、カバー部材２１０の内部に収容されることができる。ハウジング２３２は、ボビン２３１を収容することができる。ハウジング２３２とボビン２３１は、連結部材２３５により連結されることができる。ハウジング２３２は、支持部材２３６と連結されてべース２３７により支持されることができる。この場合、ハウジング２３２は、弾性支持されることができる。ハウジング２３２は、中空であり得る。ハウジング２３２は、光軸方向にホールが形成された中空のブロック形態であり得る。ハウジング２３２のホールには内面に沿ってマグネット２３３が配置されることができる。この場合、マグネット２３３は、ボビン２３１に配置されるコイル部２３４の巻線コイルと水平に対応（対向）するように配置されることができる。ハウジング２３２の上端または下端には連結部材２３５が配置されることができる。ハウジング２３２のコーナー部にはワイヤー形態の支持部材２３６が配置されることができる。この場合、ハウジング２３２は、光軸と垂直方向に移動可能であるかチルティング（ｔｉｌｔｉｎｇ）できるように弾性支持されることができる。
【０１２７】
コイル部２３４は、二つのコイルを含むことができる。コイル部２３４は、ボビン２３１の側面に配置された巻線コイルを含むことができる。コイル部２３４は、べース２３７に配置されたパターンコイルを含むことができる。コイル部２３４の巻線コイルは、ボビン２３１の側面周りに沿って巻かれていることができる。コイル部２３４のパターンコイルは、べース２３７の上面のコーナー部に形成されていることができる。コイル部２３４のパターンコイルは、マグネット２３３と垂直に対応するように配置されることができる。コイル部２３４は、基板２５０と電気的に連結されることができる。コイル部２３４は、マグネット２３３と電磁気的相互作用することができる。
【０１２８】
連結部材２３５は、ボビン２３１とハウジング２３２を連結することができる。連結部材２３５は、弾性部材であり得る。連結部材２３５の一端は、ボビン２３１と連結されて、連結部材２３５の他端は、ハウジング２３２と連結されることができる。連結部材２３５は、板バネであり得る。この場合、連結部材２３５は対で存在して、一方はボビン２３１とハウジング２３２の上端を連結して、他方はボビン２３１とハウジング２３２の下端を連結することができる。連結部材２３５によりボビン２３１は弾性稼動することができる。
【０１２９】
支持部材２３６は、べース２３７とハウジング２３２を連結することができる。この場合、ハウジング２３２は、べース２３７から垂直間隙を介して支持されることができる。支持部材２３６は、弾性部材であり得る。支持部材２３６は、ワイヤーであり得る。この場合、支持部材２３６の下端部は、べース２３７のコーナー終端に固定されることができる。また、支持部材２３６は、長さ方向にハウジング２３２の垂直角に沿って配置されて固定されることができる。その結果、ハウジング２３２は、弾性稼動することができる。
【０１３０】
べース２３７は、レンズ駆動装置２３０の底面を形成することができる。べース２３７は、四角プレート形態であり得る。べース２３７は、カバー部材２１０の下端部と結合することができる。この場合、べース２３７は、カバー部材２１０の下端開口をカバーすることができる。しかし、べース２３７には光軸と整列したホールが形成され得る。その結果、レンズモジュール２２０を透過した光は、後述するイメージセンサー２４０に照射されることができる。べース２３７のコーナー終端には支持部材２３６が固定されることができる。べース２３７のコーナー部にはコイル部２３４のパターンコイルが形成されることができる。べース２３７は、基板２５０に固定されて支持されることができる。
【０１３１】
イメージセンサー２４０は、基板２５０の上面に配置されることができる。イメージセンサー２４０は、基板２５０に実装されることができる。イメージセンサー２４０は、レンズモジュール２２０の光軸上に配置されることができる。従って、イメージセンサー２４０は、レンズモジュール２２０を透過した光を取得することができる。イメージセンサー２４０は、照射された光をイメージに変換することができる。イメージは、光信号が変換されたデジタル信号だけでなく、このようなデジタル信号がディスプレイ装置を介して可視化した光で出力された結果まで含む広義の概念であり得る。イメージセンサー２４０は、ＣＣＤ（ｃｈａｒｇｅ  ｃｏｕｐｌｅｄ  ｄｅｖｉｃｅ、電荷結合素子）、ＭＯＳ（ｍｅｔａｌ  ｏｘｉｄｅ  ｓｅｍｉ−ｃｏｎｄｕｃｔｏｒ、金属酸化物半導体）、ＣＰＤ及びＣＩＤであり得る。但し、イメージセンサー１６０の種類がこれに制限されない。
【０１３２】
基板２５０は、プリント基板（ＰＣＢ，Ｐｒｉｎｔｅｄ  Ｃｉｒｃｕｉｔ  Ｂｏａｒｄ）であり得る。基板２５０は、カバー部材２１０の下部に配置されることができる。この場合、基板２５０は、カバー部材２１０の底面開口を閉鎖することができる。また、基板２５０は、カバー部材２１０を支持することができる。基板２５０の上面はべース２３７の下面と接することができる。この場合、基板２５０は、べース２３７を支持することができる。基板２５０は、コイル部２３４と電気的に連結されることができる。この場合、基板２５０は、コイル部２３４に電源を印加することができる。この場合、基板２５０は、コイル部２３４に流れる電流の方向、波長、強度を制御することができる。基板２５０にはイメージセンサー２４０が実装されることができる。この場合、基板２５０は、イメージセンサー２４０から生成されたイメージの伝送を受けることができる。
【０１３３】
以下、駆動カメラモジュール２００の作用と効果について説明する。
【０１３４】
駆動カメラモジュール２００は、オートフォーカス機能と手振れ補正機能を行うことができる。
【０１３５】
駆動カメラモジュール２００は、レンズモジュール２２０を稼動させてオートフォーカス機能を行うことができる。駆動カメラモジュール２００は、レンズ駆動装置２３０によりレンズモジュール２２０を稼動させてオートフォーカス機能を行うことができる。基板２５０は、ボビン２３１に配置されたコイル部２３４の巻線コイルに電源を印加してレンズモジュール２２０を稼動させることができる。この場合、コイル部２３４の巻線コイルは、マグネット２３３と電磁気的相互作用をしてボビン２３１を光軸方向に移動させることができる。従って、ボビン２３１に収容されたレンズモジュール２２０も一体で光軸方向に移動することができる。この場合、基板２５０はコイル部２３４の巻線コイルを流れる電流の強度などを制御してレンズモジュール２２０の稼動速度や移動量などを調節することができる。駆動カメラモジュール２００は、レンズモジュール２２０と被写体との間の距離に対応してレンズモジュール２２０が光軸方向に移動してオートフォーカス機能を行うことができる。オートフォーカス機能により駆動カメラモジュール２００は、被写体の隔離距離に関係なく焦点を合わせてＭＴＦ値が高いイメージを撮影することができる。
【０１３６】
駆動カメラモジュール２００は、レンズモジュール２２０を稼動させて手振れ補正機能を行うことができる。駆動カメラモジュール２００は、レンズ駆動装置２３０によりレンズモジュール２２０を稼動させて手振れ補正機能を行うことができる。基板２５０は、べース２３７に配置されたコイル部２３４のパターンコイルに電源を印加してレンズモジュール２２０を稼動させることができる。この場合、コイル部２３４のパターンコイルは、ハウジング２３２に配置されたマグネット２３３と電磁気的相互作用をしてハウジング２３２を光軸と垂直方向に稼動するかチルティング（ｔｉｌｔｉｎｇ）することができる。従って、ハウジング２３２に支持されるボビン２３１に収容されたレンズモジュール２２０も一体で光軸と垂直方向に稼動するかチルティング（ｔｉｌｔｉｎｇ）することができる。この場合、基板２５０は、コイル部２３４のパターンコイルに流れる電流の強度などを制御してレンズモジュール２２０の稼動速度や移動量などを調節することができる。駆動カメラモジュール２００は、レンズモジュール２２０の揺れに対応して対応してレンズモジュール２２０を光軸方向と垂直で稼動させるかチルティング（ｔｉｌｔｉｎｇ）して手振れ補正機能を行うことができる。手振れ補正機能により駆動カメラモジュール２００は、外力による揺れを補正してＭＴＦ値が高いイメージを撮影することができる。
【０１３７】
駆動カメラモジュール２００が、本第２実施形態のデュアルカメラモジュール２０００で第１カメラモジュール１として使われる場合、カバー部材２１０は“第１カバー部材”と、透過窓２１１は“第１透過窓”と、後方の側面２１２は“第１側面”と、前方の側面１１３は“前方の側面”と、レンズモジュール２２０は“第１レンズモジュール”と、レンズ駆動装置２３０は“第１レンズ駆動装置”と、ボビン２３１は“第１ボビン”と、ハウジング２３２は“第１ハウジング”と、マグネット２３３は“第１マグネット”と、コイル部２３４は“第１コイル部”と、連結部材２３５は“第１連結部材”と、支持部材２３６は“第１支持部材”と、べース２３７は“第１ベース”と、イメージセンサー１５０は“第１イメージセンサー”と、基板１６０は“第１基板”と呼称される。
【０１３８】
駆動カメラモジュール２００が、本第３実施形態のデュアルカメラモジュール３０００で第２カメラモジュール２として使われる場合、カバー部材２１０は“第２カバー部材”と、透過窓２１１は“第２透過窓”と、後方の側面２１２は“後方の側面”と、前方の側面１１３は“第２側面”と、レンズモジュール２２０は“第２レンズモジュール”と、レンズ駆動装置２３０は“第２レンズ駆動装置”と、ボビン２３１は“第２ボビン”と、ハウジング２３２は“第２ハウジング”と、マグネット２３３は“第２マグネット”と、コイル部２３４は“第２コイル部”と、連結部材２３５は“第２連結部材”と、支持部材２３６は“第２支持部材”と、べース２３７は“第２ベース”と、イメージセンサー１５０は“第２イメージセンサー”と、基板１６０は“第２基板”と呼称される。
【０１３９】
以下では、図面を参照して本第１実施形態のデュアルカメラモジュール１０００について説明する。図９は、本第１実施形態のデュアルカメラモジュールを示した斜視図で、図１０は、本第１実施形態のデュアルカメラモジュールを示した概念図で、図１１は、本第１実施形態の第１変形例のデュアルカメラモジュールを示した概念図で、図１２は、本第１実施形態の第２変形例のデュアルカメラモジュールを示した概念図で、図１３は、本第１実施形態の第３変形例のデュアルカメラモジュールを示した概念図で、図１４は、本第１実施形態の第４変形例のデュアルカメラモジュールを示した概念図で、図１５は、本第１実施形態の第５変形例のデュアルカメラモジュールを示した概念図で、図１６は、本第１実施形態の第５変形例のカバー部材とレンズホルダーと液体レンズを示した分解斜視図である。
【０１４０】
以下、本第１実施形態のデュアルカメラモジュール１０００の構造について説明する。デュアルカメラモジュール１０００は、第１カメラモジュール１、第２カメラモジュール２及び制御部（図示せず）を含むことができる。第１、２カメラモジュール１、２には液体レンズカメラモジュール１００が使われることができる。第１カメラモジュール１と第２カメラモジュール２は、隣接して配置されることができる。第１カメラモジュール１と第２カメラモジュール２は、前後方に離隔することができる。この場合、第１カメラモジュール１は、前方に配置されることができて、第２カメラモジュール２は、後方に配置されることができる。第１カメラモジュール１と第２カメラモジュール２は、対向して配置されることができる。第１カメラモジュール１は、夾角（ｔｅｌｅ）カメラモジュールであり得る。第２カメラモジュール２は、広角（ｗｉｄｅ）カメラモジュールであり得る。つまり、第１カメラモジュール１の画角は、第２カメラモジュール２の画角より小さい。また、第１カメラモジュール１の画角中少なくとも一部は、第２カメラモジュール２の画角に含まれることができる。さらに第１カメラモジュール１の画角は、第２カメラモジュール２の画角に全部含まれることができる。第１カメラモジュール１は、第１イメージ（Ｉ１）を撮影することができる。第２カメラモジュール２は、第２イメージ（Ｉ２）を撮影することができる。第１イメージ（Ｉ１）のエリアの少なくとも一部は、第２イメージ（Ｉ２）のエリアに含まれることができる。第１イメージ（Ｉ１）のエリアの全部は、第２イメージ（Ｉ２）のエリアに含まれることができる。つまり、第１イメージ（Ｉ１）のエリアと第２イメージ（Ｉ２）のエリアが重なるオーバーラップエリア（Ｏ）が存在することができる。同じ被写体エリアであるオーバーラップエリア（Ｏ）では、第１カメラモジュール１の画角（ｔｅｌｅ）が第２カメラモジュール２の画角（ｗｉｄｅ）より小さいので、第１イメージ（Ｉ１）が同じ被写体エリアに対してより多くの画素を含み、同じ被写体エリアに対する分解能や解像度またはＭＴＦが高いこともある。第１イメージ（Ｉ１）と第２イメージ（Ｉ２）は合成されることができる。合成イメージ（Ｃ）は、第１イメージ（Ｉ１）により第２イメージ（Ｉ２）より分解能や解像度またはＭＴＦが高いこともある。つまり、シングルカメラモジュールで撮影する時、より高品質の合成イメージ（Ｃ）を生成することができる。
【０１４１】
制御部は、第１カメラモジュール１の第１基板１６０−１と電気的に連結されることができる。これと同時に第２カメラモジュール２の第２基板１６０−２と電気的に連結されることができる。制御部は、第１基板１６０−１または第２基板１６０−２に実装されることができる。その結果、第１カメラモジュール１の第１イメージセンサー１５０−１から第１イメージ（Ｉ１）の伝送を受けることができる。これと同時に第２カメラモジュール２の第２イメージセンサー１５０−２から第２イメージ（Ｉ２）の伝送を受けることができる。制御部は、第１イメージ（Ｉ１）と第２イメージ（Ｉ２）を合成することができる。この場合、イメージスティッチングアルゴリズムが使われることができる。
【０１４２】
第１カメラモジュール１には液体レンズカメラモジュール１００の技術的思想が類推適用されることができる。第２カメラモジュール２には液体レンズカメラモジュール１００の技術的思想が類推適用されることができる。
【０１４３】
第１カメラモジュール１は、外装材である第１カバー部材１１０−１の内部に第１レンズホルダー１２０−１が収容されることができる。また、第１レンズホルダー１２０−１の内部にレンズモジュール１３０−１と液体レンズ１４０−１が収容されることができる。本第１実施形態では、第１液体レンズ１４０−１が、第１レンズモジュール１３０−１のレンズの間に挿入（ａｄｄ−ｉｎ）形態であるが、第１液体レンズ１４０−１が、第１レンズモジュール１３０−１のレンズの上部に定着（ａｄｄ−ｏｎ）される実施形態を持つことができる。この場合、第１液体レンズ１４０−１は、第１レンズホルダー１２０−１の上部に配置されることができる。また、第１カバー部材１１０−１は、中空で上面には第１透過窓１１１−１が形成されることができる。また、第１レンズホルダー１２０−１には第１レンズホール１２１−１が形成されて、レンズモジュール１３０−１と液体レンズ１４０−１が設置されることができる。第１透過窓１１１−１と第１レンズホール１２１−１は、光軸方向に整列することができる。さらに第１カバー部材１１０−１と第１レンズホルダー１２０−１の下部には第１基板１６０−１が配置されて、第１カバー部材１１０−１の下面開口と第１レンズホール１２１−１をカバーすることができる。また、第１基板１６０−１上に光軸と整列して第１イメージセンサー１５０−１が実装されることができる。その結果、第１カメラモジュール１では、外部の光が第１透過窓１１１−１を透過して第１レンズモジュール１３０−１と第１液体レンズ１４０−１を通って第１イメージセンサー１５０−１に照射されることができる。第２カメラモジュール２の構成には第１カメラモジュール１の構成が類推適用されることができる。第２カメラモジュール２０と第１カメラモジュール１の構成は、合致することができる。
【０１４４】
第１カメラモジュール１と第２カメラモジュール２は、前後方に近接して配置されることができる。この場合、第１カバー部材１１０−１の第１側面１１２−１と第２カバー部材１１０−２の第２側面１１３−２は、互いに対向することができる。第１側面１１２−１と第２側面１１３−２は、第１カメラモジュール１と第２カメラモジュール２との間で最短距離を持つ面であり得る。また、第１側面１１２−１と第２側面１１３−２は、互いに平行することができる。第１カメラモジュール１と第２カメラモジュール２との間の最短距離（Ｄ１）は、第１カメラモジュール１の第１イメージセンサー１５０−１と第２カメラモジュール２の第２イメージセンサー１５０−２中少なくとも一つのイメージセンサーの幅より小さくてよい。第１カメラモジュール１と第２カメラモジュール２との間の最短距離（Ｄ１）は、第１カメラモジュール１と第２カメラモジュール２が配置された方向を第１方向とすると、第１イメージセンサー１５０−１の第１方向幅と第２カメラモジュール２の第１方向の幅の中小さい幅より小さくてよい。また、第１カメラモジュール１と第２カメラモジュール２との間の最短距離（Ｄ１）は、第１イメージセンサー１５０−１と第２イメージセンサー１５０−２の幅の中最も小さい幅より小さくてよい。第１カメラモジュール１と第２カメラモジュール２との間の最短距離（Ｄ１）は、２ｍｍ以下であり得る。第１側面１１２−１と第２側面１１３−２との間の最短距離は、２ｍｍ以下であり得る。つまり、本第１実施形態の第１カメラモジュール１と第２カメラモジュール２のアクチュエータは、液体レンズ１４０であるため、ＶＣＭ（Ｖｏｉｃｅ  Ｃｏｉｌ  Ｍｏｔｏｒ）がアクチュエータヘ使われる場合と比較して、シングルカメラモジュールの間に電磁気干渉が起きない。つまり、液体レンズカメラモジュール１００は、電磁気波の放出量が少ない。また、液体レンズカメラモジュール１００は、外部の電磁気に影響をあまり受けない。従って、本第１実施形態のデュアルカメラモジュール１０００では、超近接して第１カメラモジュール１と第２カメラモジュール２が配置されることができる。
【０１４５】
以下、本第１実施形態の第１変形例のデュアルカメラモジュール１０００の構造について説明する。第１変形例のデュアルカメラモジュール１０００では、第１カバー部材１１０−１と第２カバー部材１１０−２が接することができる。この場合、第１カバー部材１１０−１と第２カバー部材１１０−２は、接着物質によってボンディング結合されることができる。第１カバー部材１１０−１の第１側面１１２−１と第２カバー部材１１０−２の第２側面１１３−２が、互いに接することができる。その結果、第１カメラモジュール１と第２カメラモジュール２の間隙がなくなる。さらに第１カメラモジュール１と第２カメラモジュール２のコンパクトな接着構造のために、第１基板１６０−１と第２基板１６０−２の形態と配置は調節されることができる。この場合、第１基板１６０−１の後方端部と第２基板１６０−２の前方端部が、互いに接することができる。さらに第１基板１６０−１と第２基板１６０−２は、一体で形成されることができる。第１基板１６０−１と第２基板１６０−２が一体で形成された場合、第１イメージセンサー１５０−１と第２イメージセンサー１５０−２も互いに接合されるが一体で形成されて、第１基板１６０−１及び第２基板１６０−２が一体で形成された基板上に配置されることができる。第１イメージセンサー１５０−１と第２イメージセンサー１５０−２が一体で形成された場合、イメージセンサーの幅は、イメージセンサー上のＡｃｔｉｖｅ  ａｒｅａの幅であり得る。
【０１４６】
以下、本第１実施形態の第２変形例のデュアルカメラモジュール１０００の構造について説明する。第２変形例のデュアルカメラモジュール１０００では、第１基板１６０−１と第２基板１６０−２基板が一体で形成されることができる。この場合、第１基板１６０−１の前方端部と第２基板１６０−２の後方端部が連結されることができる。つまり、第１基板１６０−１の前方端部と第２基板１６０−２の後方端部は、コネクターなどによりはんだ付けされてもよい。また、第１基板１６０−１と第２基板１６０−２は、単一部品で製作されることができる。この場合、一体で形成された第１基板１６０−１と第２基板１６０−２は前後方に長さを持つ長方形プレート形態であり得る。
【０１４７】
以下、本第１実施形態の第３変形例のデュアルカメラモジュール１０００の構造について説明する。第３変形例のデュアルカメラモジュール１０００では、第１カバー部材１１０−１と第２カバー部材１１０−２が一体で形成されることができる。この場合、第１カバー部材１１０−１と第２カバー部材１１０−２は、内部空間を共有することができる。第１側面１１２−１と第２側面１１３−２が削除されて、第１カバー部材１１０−１の上面と第２カバー部材１１０−２の上面が連結されて一体のカバー部材を形成することができる。一体で形成された第１、２カバー部材１１０−１、１１０−２の上面には第１カメラモジュール１の光軸と整列して第１透過窓１１１−１が形成されることができる。また、第１透過窓１１１−１と後方で離隔して、第２カメラモジュール２の光軸と整列して第２透過窓１１１−２が形成されることができる。また、一体で形成された第１、２カバー部材１１０−１、１１０−２の底面には第１基板１６０−１と第２基板１６０−２が配置されることができる。この場合、第１基板１６０−１と第２基板１６０−２は、第２変形例同様に一体で形成されることができる。一体で形成されたカバー部材１１０−１、１１０−２の内部には第１、２レンズホルダー１２０−１、１２０−２、第１、２レンズモジュール１３０−１、１３０−２、第１、２液体レンズ１４０−１、１４０−２及び第１、２イメージセンサー１５０−１、１５０−２が収容されることができる。これのために、一体で形成された第１、２カバー部材１１０−１、１１０−２は、前後方向に長さを持つ中空形態であり得る。一体で形成された第１、２カバー部材１１０−１、１１０−２は、前後方向に長さを持つ中空のブロック形態であり得る。この場合、第１レンズホルダー１２０−１と第２レンズホルダー１２０−２の最短距離（Ｄ２）は、２ｍｍ以下であり得る。第１レンズホルダー１２０−１の後方の側面と第２レンズホルダー１２０−２の前方の側面は、対向するように配置されることができる。この場合、第１レンズホルダー１２０−１の後方の側面と第２レンズホルダー１２０−２の前方の側面の最短距離は、２ｍｍ以下であり得る。第１レンズホルダー１２０−１の後方の側面と第２レンズホルダー１２０−２の前方の側面の最短距離は、第１カメラの第１イメージセンサーと第２カメラの第２イメージセンサー中少なくとも一つのイメージセンサーの幅より小さくてよい。第１レンズホルダー１２０−１の後方の側面と第２レンズホルダー１２０−２の前方の側面の最短距離は、第１カメラモジュール１と第２カメラモジュール２が配置された方向を第１方向とすると、第１イメージセンサー１５０−１の第１方向幅と第２カメラモジュール２の第１方向の幅の中小さい幅より小さくてよい。また、第１レンズホルダー１２０−１の後方の側面と第２レンズホルダー１２０−２の前方の側面の最短距離は、第１イメージセンサー１５０−１と第２イメージセンサー１５０−２の幅の中最も小さい幅より小さくてよい。
【０１４８】
以下、本第１実施形態の第４変形例のデュアルカメラモジュール１０００について説明する。第４変形例のデュアルカメラモジュール１０００は、第３変形例において第１、２レンズホルダー１２０−１、１２０−２が一体で形成された構造であり得る。第１レンズホルダー１２０−１の後端部と第２レンズホルダー１２０−２の前端部が、接して一体で形成された構造であり得る。その結果、一体で形成された第１、２レンズホルダー１２０−１、１２０−２は、前後方向に長さを持つ立体構造であり得る。また、一体で形成された第１、２レンズホルダー１２０−１、１２０−２は、前後方向に長さを持つ直方体構造であり得る。また、一体で形成された第１、２レンズホルダー１２０−１、１２０−２には第１カメラモジュール１の光軸と整列して第１レンズホール１２１−１が形成されることができる。第１レンズホール１２１−１と後方に離隔して第２カメラモジュール２の光軸と整列して第２レンズホール１２１−２が形成されることができる。この場合、第１液体レンズ１４０−１と第２液体レンズ１４０−２の最短距離（Ｄ３）は、２ｍｍ以下であり得る。第１液体レンズ１４０−１の後方の側面と第２液体レンズ１４０−２の前方の側面は、対向するように配置されることができる。この場合、第１液体レンズ１４０−１の後方の側面と第２液体レンズ１４０−２の前方の側面の最短距離は、２ｍｍ以下であり得る。第１液体レンズ１４０−１の後方の側面と第２液体レンズ１４０−２の前方の側面の最短距離は、第１カメラモジュール１の第１イメージセンサー１５０−１と第２カメラモジュール２の第２イメージセンサー１５０−２中少なくとも一つのイメージセンサーの幅より小さくてよい。第１液体レンズ１４０−１の後方の側面と第２液体レンズ１４０−２の前方の側面の最短距離は、第１カメラモジュール１と第２カメラモジュール２が配置された方向を第１方向とすると、第１イメージセンサー１５０−１の第１方向幅と第２イメージセンサー１５０−２の第１方向の幅の中小さい幅より小さくてよい。１液体レンズ１４０−１の後方の側面と第２液体レンズ１４０−２の前方の側面の最短距離は、第１イメージセンサー１５０−１と第２イメージセンサー１５０−２の幅の中最も小さい幅より小さくてよい。
【０１４９】
以下、本第１実施形態の第５変形例のデュアルカメラモジュール１０００について説明する。第５変形例のデュアルカメラモジュール１０００は、第３変形例で第１、２レンズホルダー１２０−１、１２０−２と第１、２液体レンズ１４０−１、１４０−２が一体で形成された構造であり得る。第１、２レンズホルダー１２０−１、１２０−２は、第４変形例と同様に一体で形成されることができる。但し、第１レンズホール１２１−１と第２レンズホール１２１−２の一部分が連結されて連通することができる。つまり、第１、２レンズホルダー１２０−１、１２０−２は一部分で内部空間を共有することができる。従って、一体で形成された第１、２液体レンズ１４０−１、１４０−２は、第１、２レンズホルダー１２０−１、１２０−２で第１レンズホール１２１−１と第２レンズホール１２１−２が連通した部分にａｄｄ−ｉｎ形態に挿入されることができる。図１５では、ａｄｄ−ｉｎ形態についてのみ示したが、一体で形成された第１、２液体レンズ１４０−１、１４０−２は、ａｄｄ−ｏｎ形態で一体で形成された第１、２レンズホルダー１２０−１、１２０−２の上部に配置されることができる。第１液体レンズ１４０−１と第２液体レンズ１４０−２は、一体で形成されることができる。図１６で図示するように、第１液体レンズ１４０−１の後方の側面と第２液体レンズ１４０−２の前方の側面が、互いに結合して第１液体レンズ１４０−１と第２液体レンズ１４０−２が一体で形成されることができる。第１上部カバー１４１−１の後端と第２上部カバー１４１−２の前端が、結合して一体で形成されて、第１コアプレート１４２−１の後方の側面と第２コアプレート１４２−２の前方の側面が、結合して一体で形成されて、第１下部カバー１４９−１の後端と第２下部カバー１４９−２の前端が、結合して一体で形成されることができる。その結果、一体で形成された第１、２液体レンズ１４０−１、１４０−２は、前後方向に長さを持つ直方体形態を持つ。この場合、第１コアプレート１４２−１に第１カメラモジュール１の光軸と整列して第１キャビティ１４３−１が位置することができる。また、第２コアプレート１４２−２に第１キャビティー１４３−１と後方に離隔して第２カメラモジュール２の光軸と整列して第２キャビティ１４３−２が位置することができる。また、一体で形成された第１、２液体レンズ１４０−１、１４０−２が接する地点で第１電極１４５−１は、第３電極１４５−２と間隙を形成することができる。また、第２電極１４６−１と第４電極１４６−２は、間隙を形成することができる。その結果、電気的短絡が発生しない。
【０１５０】
以上の、第１実施形態の変形例は、第１カメラモジュール１と第２カメラモジュール２の構成部品を一体化してコンパクトな構造を持つデュアルカメラモジュール１０００を提供することができる。さらに第１カメラモジュール１と第２カメラモジュール２との間の隔離距離を、より狭めることができる構造を持つ。
【０１５１】
以下では、図面を参照して本第２実施形態のデュアルカメラモジュール２０００について説明する。図９は、本第２実施形態のデュアルカメラモジュールを示した斜視図で、図１７は、本第２実施形態のデュアルカメラモジュールを示した概念図で、図１８は、本第２実施形態の第１変形例のデュアルカメラモジュールを示した概念図で、図１９は、本第２実施形態の第２変形例のデュアルカメラモジュールを示した概念図で、図２０は、本第２実施形態の第３変形例のデュアルカメラモジュールを示した概念図である。
【０１５２】
以下、本第２実施形態のデュアルカメラモジュール２０００の構造について説明する。デュアルカメラモジュール２０００は、第１カメラモジュール１、第２カメラモジュール２及び制御部（図示せず）を含むことができる。第１カメラモジュール１には駆動カメラモジュール２００が使われることができる。第２カメラモジュール２には液体レンズカメラモジュール１００が使われることができる。第１カメラモジュール１と第２カメラモジュール２は、隣接して配置されることができる。第１カメラモジュール１と第２カメラモジュール２は、前後方に離隔することができる。この場合、第１カメラモジュール１は、前方に配置されることができて、第２カメラモジュール２は、後方に配置されることができる。第１カメラモジュール１と第２カメラモジュール２は、対向して配置されることができる。第１カメラモジュール１は、夾角（ｔｅｌｅ）カメラモジュールであってもよく、第２カメラモジュール２は、広角（ｗｉｄｅ）カメラモジュールであり得る。また、第１カメラモジュール１は、広角（ｗｉｄｅ）カメラモジュールで第２カメラモジュール２は夾角（ｔｅｌｅ）カメラモジュールであり得る。つまり、第１カメラモジュール１の画角は、第２カメラモジュール２の画角より大きいか小さい。また、第１カメラモジュール１の画角中少なくとも一部は、第２カメラモジュール２の画角に含まれることができる。さらに第１カメラモジュール１の画角は、第２カメラモジュール２の画角に全部含まれることができる。第２カメラモジュール２の画角中少なくとも一部は、第１カメラモジュール１の画角に含まれることができる。さらに第２カメラモジュール２の画角は、第１カメラモジュール１の画角に全部含まれることができる。第１カメラモジュール１は、第１イメージ（Ｉ１）を撮影することができる。第２カメラモジュール２は、第２イメージ（Ｉ２）を撮影することができる。第１イメージ（Ｉ１）のエリア中少なくとも一部は、第２イメージ（Ｉ２）のエリアに含まれることができる。第２イメージ（Ｉ２）のエリア中少なくとも一部は、第１イメージ（Ｉ１）のエリアに含まれることができる。第１イメージ（Ｉ１）のエリアの全部は、第２イメージ（Ｉ２）のエリアに含まれることができる。第２イメージ（Ｉ２）のエリアの全部は、第１イメージ（Ｉ１）のエリアに含まれることができる。つまり、第１イメージ（Ｉ１）のエリアと第２イメージ（Ｉ２）のエリアが重なるオーバーラップエリア（Ｏ）が存在することができる。オーバーラップエリア（Ｏ）では、第１カメラモジュール１の画角（ｔｅｌｅ）が第２カメラモジュール２の画角（ｗｉｄｅ）より小さいため、第１イメージ（Ｉ１）がさらに高い画素を含み解像度とＭＴＦが高くてよい。第１イメージ（Ｉ１）と第２イメージ（Ｉ２）は、合成されることができる。合成イメージ（Ｃ）は、第１イメージ（Ｉ１）にて第２イメージ（Ｉ２）より解像度とＭＴＦが高い。つまり、シングルカメラモジュールで撮影する時より高品質の合成イメージ（Ｃ）を生成することができる。
【０１５３】
第２カメラモジュール２の画角（ｔｅｌｅ）が、第１カメラモジュール１の画角（ｗｉｄｅ）より小さいため、第２イメージ（Ｉ２）がさらに高い画素を含み、分解能または解像度が高い。第２イメージ（Ｉ２）と第１イメージ（Ｉ１）は、合成されることができる。合成イメージ（Ｃ）は、第２イメージ（Ｉ２）により第１イメージ（Ｉ１）よりも分解能または解像度が高い。つまり、シングルカメラモジュールで撮影する時より高品質の合成イメージ（Ｃ）を生成することができる。
【０１５４】
制御部は、第１カメラモジュール１の第１基板２５０−１と電気的に連結されることができる。これと同時に第２カメラモジュール２の第２基板１６０−２と電気的に連結されることができる。制御部は、第１基板２５０−１または第２基板１６０−２に実装されることができる。その結果、第１カメラモジュール１の第１イメージセンサー２４０−１から第１イメージ（Ｉ１）の伝送を受けることができる。これと同時に第２カメラモジュール２の第２イメージセンサー１５０−２から第２イメージ（Ｉ２）の伝送を受けることができる。制御部は、第１イメージ（Ｉ１）と第２イメージ（Ｉ２）を合成することができる。この場合、イメージスティッチングアルゴリズムが使われることができる。
【０１５５】
本第２実施形態のデュアルカメラモジュール２０００に本第１実施形態のデュアルカメラモジュール１０００が類推適用されることができる。但し、本第２実施形態のデュアルカメラモジュール２０００の第２カメラモジュール２には駆動レンズカメラモジュール２００が使われるという点で本第１実施形態のデュアルカメラモジュール１０００と異なる。以下、本第１実施形態と同じ技術的思想に関する説明を省略する。
【０１５６】
第１カメラモジュール１には駆動カメラモジュール１００の技術的思想が類推適用されることができる。第２カメラモジュール２にはレンズカメラモジュール１００の技術的思想が類推適用されることができる。第２カメラモジュール２に本第１実施形態の第２カメラモジュールの技術的思想が類推適用されることができる。
【０１５７】
第１カメラモジュール１は、駆動カメラモジュール２００であり得る。外装材である第１カバー部材２１０−１の内部には第１レンズ駆動装置２３０−１が位置することができる。第１レンズ駆動装置２３０−１は、第１ハウジング２３２−１と第１ハウジング２３２−１の内部に収容された第１ボビン２３１−１と第１ボビン２３１−１の内部に収容された第１レンズモジュール２２０−１を含むことができる。また、第１ボビン２３１−１と第１ハウジング２３２−１は、第１連結部材によって連結されることができる。また、１ハウジング２３２−１は、第１支持部材によって第１べース２３７と連結されることができる。また、第１基板２５０−１上に光軸と整列して第１イメージセンサー２４０−１が実装されることができる。また、第１ハウジング２３２−１の内側には第１マグネット２３３−１が配置されることができる。また、第１コイル部２３４−１は、第１ボビン２３１−１の外側に第１マグネット２３３−１と水平に対向するように配置された巻線コイルを含むことができる。また、第１コイル部２３４−１は、第１べース２３７−１のコーナー部に第１マグネット２３３−１と垂直に対向するように配置されたパターンコイルを含むことができる。
【０１５８】
第１カメラモジュール１と第２カメラモジュール２は、前後方に近接して配置されることができる。この場合、第１カバー部材２１０−１の第１側面２１２−１と第２カバー部材１１０−２の第２側面１１３−２は、互いに対向することができる。第１側面２１２−１と第２側面１１３−２は、第１カメラモジュール１と第２カメラモジュール２との間で最短距離を持つ面であり得る。また、第１側面２１２−１と第２側面１１３−２は、互いに平行することができる。第１カメラモジュール１と第２カメラモジュール２との間の最短距離（Ｄ４）は、２ｍｍ以下であり得る。第１側面２１２−１と第２側面１１３−２の間の最短距離は、２ｍｍ以下であり得る。第１側面２１２−１と第２側面１１３−２との間の最短距離は、第１カメラモジュール１の第１イメージセンサー２４０−１と第２カメラの第２イメージセンサー１５０−２中少なくとも一つのイメージセンサーの幅より小さくてよい。つまり本第２実施形態の第２カメラモジュール２のアクチュエータは、第２液体レンズ１４０−２であるため、第１カメラモジュール１のレンズ駆動装置２３０−１に影響を与える電磁気波をほとんど発生しない。また、第１カメラモジュール１のレンズ駆動装置２３０−１で発生した電磁気波は、第２液体レンズ１４０−２に影響を与えることができない。その結果、第１カメラモジュール１と第２カメラモジュール２を超近接するように配置することができる。
【０１５９】
以下、本第２実施形態の第１変形例のデュアルカメラモジュール２０００の構造について説明する。第１変形例のデュアルカメラモジュール２０００では、第１カバー部材２１０−１と第２カバー部材１１０−２が接することができる。この場合、第１カバー部材２１０−１と第２カバー部材１１０−２は、接着物質によってボンディング結合されることができる。第１カバー部材２１０−１の第１側面２１２−１と第２カバー部材１１０−２の第２側面１１３−２が、互いに接することができる。その結果、第１カメラモジュール１と第２カメラモジュール２の間隙がなくなる。さらに第１カメラモジュール１と第２カメラモジュール２のコンパクトな接着構造のために、第１基板２５０−１と第２基板１６０−２の形態と配置は、調節されることができる。この場合、第１基板２５０−１の後方端部と第２基板１６０−２の前方端部が、互いに接することができる。さらに第１基板２５０−１と第２基板１６０−２は、一体で形成されることができる。
【０１６０】
以下、本第１実施形態の第２変形例のデュアルカメラモジュール２０００の構造について説明する。第２変形例のデュアルカメラモジュール２０００では、第１基板２５０−１と第２基板１６０−２が、一体で形成されることができる。この場合、第１基板２５０−１の前方端部と第２基板１６０−２の後方端部が連結されることができる。つまり、第１基板２５０−１の前方端部と第２基板１６０−２の後方端部は、コネクターなどによりはんだ付けされてもよい。また、第１基板２５０−１と第２基板１６０−２は、単一部品で製作されることができる。この場合、一体で形成された第１基板２５０−１と第２基板１６０−２は、前後方に長さを持つ長方形プレート形態であり得る。
【０１６１】
以下、本第１実施形態の第３変形例のデュアルカメラモジュール２０００の構造について説明する。第３変形例のデュアルカメラモジュール２０００では、第１カバー部材２１０−１と第２カバー部材１１０−２が、一体で形成されることができる。この場合、第１カバー部材２１０−１と第２カバー部材１１０−２は、内部空間を共有することができる。第１側面２１２−１と第２側面１１３−２が消えて、第１カバー部材２１０−１の上面と第２カバー部材１１０−２の上面が連結されて一体のカバー部材を形成することができる。一体で形成されたカバー部材２１０−１、１１０−２の上面には第１カメラモジュール１の光軸と整列して第１透過窓２１１−１が形成されることができる。また、第１透過窓２１１−１と後方に離隔して、第２カメラモジュール２の光軸と整列して第２透過窓１１１−２が形成されることができる。また、一体で形成されたカバー部材２１０−１、１１０−２の底面には第１基板２５０−１と第２基板１６０−２が配置されることができる。この場合、第１基板２５０−１と第２基板１６０−２は、第２変形例同様に一体で形成されることができる。一体で形成されたカバー部材２１０−１、１１０−２の内部には第１レンズモジュール２２０−１、第１レンズ駆動装置２３０−１、第１イメージセンサー２４０−１、第１基板２５０−１、第２レンズホルダー１２０−２、第２レンズモジュール１３０−２、第２液体レンズ１４０−２、第２イメージセンサー１５０−２及び第２基板１６０−２が収容されることができる。これのために、一体で形成された第１、２カバー部材２１０−１、１１０−２は、前後方向に長さを持つ中空形態であり得る。一体で形成された第１、２カバー部材２１０−１、１１０−２は、前後方向に長さを持つ中空のブロック形態であり得る。この場合、第１レンズ駆動装置２３０−１を保護するために、第１補充カバー部材２６０−１が追加されることができる。第１補充カバー部材２６０−１は、中空形態で内部にレンズ駆動装置２３０−１を収容することができる。第１補充カバー部材２６０−１は、中空の直方体形態であり得る。第１補充カバー部材２６０−１は、金属材質で外部の電磁気波を遮断することができる。その結果、レンズ駆動装置２３０−１は、電磁気的に安定することができる。また、外部の物理的衝撃から保護されることができる。この場合、第１補充カバー部材２６０−１と第２レンズホルダー１２０−２の最短距離（Ｄ５）は、２ｍｍ以下であり得る。第１補充カバー部材２６０−１の後方の側面と第２レンズホルダー１２０−２の前方の側面は、対向するように配置されることができる。この場合、第１補充カバー部材２６０−１の後方の側面と第２レンズホルダー１２０−２の前方の側面の最短距離は、２ｍｍ以下であり得る。第１補充カバー部材２６０−１と第２レンズホルダー１２０−２の最短距離（Ｄ５）は、第１カメラモジュール１の第１イメージセンサー２４０−１と第２カメラモジュール２の第２イメージセンサー１５０−２中少なくとも一つのイメージセンサーの幅より小さくてよい。第１補充カバー部材２６０−１と第２レンズホルダー１２０−２の最短距離（Ｄ５）は、第１カメラモジュール１と第２カメラモジュール２が配置された方向を第１方向とすると、第１イメージセンサー２４０−１の第１方向幅と第２カメラモジュール２の第１方向の幅の中小さい幅より小さくてよい。第１補充カバー部材２６０−１と第２レンズホルダー１２０−２の最短距離（Ｄ５）は、第１イメージセンサー２４０−１と第２イメージセンサー１５０−２の幅の中最も小さい幅より小さくてよい。
【０１６２】
以上の、第２実施形態の変形例は、第１カメラモジュール１と第２カメラモジュール２の構成部品を一体化してコンパクトな構造を持つデュアルカメラモジュール２０００を提供することができる。さらに第１カメラモジュール１と第２カメラモジュール２との間の隔離距離をさらに狭めることができる構造を持つ。
【０１６３】
以下では、図面を参照して本第３実施形態のデュアルカメラモジュール３０００について説明する。図９は、本第３実施形態のデュアルカメラモジュールを示した斜視図で、図２１は、本第３実施形態のデュアルカメラモジュールを示した概念図で、図２２は、本第３実施形態の第１変形例のデュアルカメラモジュールを示した概念図で、図２３は、本第３実施形態の第２変形例のデュアルカメラモジュールを示した概念図で、図２４は、本第３実施形態の第３変形例のデュアルカメラモジュールを示した概念図である。
【０１６４】
以下、本第３実施形態のデュアルカメラモジュール３０００の構造について説明する。デュアルカメラモジュール３０００は、第１カメラモジュール１、第２カメラモジュール２及び制御部（図示せず）を含むことができる。第１カメラモジュール１には液体レンズカメラモジュール１００が使われることができる。第２カメラモジュール２には駆動カメラモジュール２００が使われることができる。第１カメラモジュール１と第２カメラモジュール２は、隣接して配置されることができる。第１カメラモジュール１と第２カメラモジュール２は、前後方に離隔することができる。この場合、第１カメラモジュール１は、前方に配置されることができて、第２カメラモジュール２は後方に配置されることができる。第１カメラモジュール１と第２カメラモジュール２は、対向して配置されることができる。第１カメラモジュール１と夾角（ｔｅｌｅ）カメラモジュールであり得る。第２カメラモジュール２は広角（ｗｉｄｅ）カメラモジュールであり得る。つまり、第１カメラモジュール１の画角は、第２カメラモジュール２の画角より小さい。また、第１カメラモジュール１の画角中少なくとも一部は、第２カメラモジュール２の画角に含まれることができる。さらに第１カメラモジュール１の画角は、第２カメラモジュール２の画角に全部含まれることができる。第１カメラモジュール１は、第１イメージ（Ｉ１）を撮影することができる。第２カメラモジュール２は、第２イメージ（Ｉ２）を撮影することができる。第１イメージ（Ｉ１）のエリア中少なくとも一部は、第２イメージ（Ｉ２）のエリアに含まれることができる。第１イメージ（Ｉ１）のエリアの全部は、第２イメージ（Ｉ２）のエリアに含まれることができる。つまり、第１イメージ（Ｉ１）のエリアと第２イメージ（Ｉ２）のエリアが重なるオーバーラップエリア（Ｏ）が存在することができる。オーバーラップエリア（Ｏ）では、第１カメラモジュール１の画角（ｔｅｌｅ）が第２カメラモジュール２の画角（ｗｉｄｅ）より小さいため、第１イメージ（Ｉ１）がさらに高い画素を含み解像度とＭＴＦが高い。第１イメージ（Ｉ１）と第２イメージ（Ｉ２）は合成されることができる。合成イメージ（Ｃ）は、第１イメージ（Ｉ１）により第２イメージ（Ｉ２）よりも解像度とＭＴＦが高い。つまり、シングルカメラモジュールで撮影する時より高品質の合成イメージ（Ｃ）を生成することができる。
【０１６５】
制御部は、第１カメラモジュール１の第１基板１６０−１と電気的に連結されることができる。これと同時に第２カメラモジュール２の第２基板２５０−２と電気的に連結されることができる。制御部は、第１基板１６０−１または第２基板２５０−２に実装されることができる。その結果、第１カメラモジュール１の第１イメージセンサー１５０−１から第１イメージ（Ｉ１）の伝送を受けることができる。これと同時に第２カメラモジュール２の第２イメージセンサー２４０−２から第２イメージ（Ｉ２）の伝送を受けることができる。制御部は、第１イメージ（Ｉ１）と第２イメージ（Ｉ２）を合成することができる。この場合、イメージスティッチングアルゴリズムが使われることができる。
【０１６６】
本第３実施形態のデュアルカメラモジュール３０００には本第２実施形態のデュアルカメラモジュール２０００が類推適用されることができる。但し、本第３実施形態のデュアルカメラモジュール３０００では、第１カメラモジュール１が液体レンズカメラモジュール１００であり、第２カメラモジュール２０が駆動カメラモジュール２００であり、第２実施形態のデュアルカメラモジュール２０００と比較して入れ替わって配置された。但し、本第３実施形態のデュアルカメラモジュール３０００でも第１カメラモジュール１は夾角カメラモジュールで、第２カメラモジュール２は広角カメラモジュールであるという点を注意しなければならない。
【０１６７】
第１カメラモジュール１には液体レンズカメラモジュール１００の技術的思想が類推適用されることができる。第２カメラモジュール２には駆動カメラモジュール２００の技術的思想が類推適用されることができる。
【０１６８】
以下、本第３実施形態の第１変形例のデュアルカメラモジュール３０００の構造について説明する。第１変形例のデュアルカメラモジュール３０００では、第１カバー部材１１０−１と第２カバー部材２１０−２が接することができる。この場合、第１カバー部材１１０−１と第２カバー部材２１０−２は、接着物質によってボンディング結合されることができる。第１カバー部材１１０−１の第１側面１１２−１と第２カバー部材２１０−２の第２側面２１３−２が、互いに接することができる。その結果、第１カメラモジュール１と第２カメラモジュール２の間隙がなくなる。さらに第１カメラモジュール１と第２カメラモジュール２のコンパクトな接着構造のために、第１基板１６０−１と第２基板２５０−２の形態と配置は調節されることができる。この場合、第１基板１６０−１の後方端部と第２基板２５０−２の前方端部が互いに接することができる。さらに第１基板１６０−１と第２基板２５０−２は、一体で形成されることができる。
【０１６９】
以下、本第３実施形態の第２変形例のデュアルカメラモジュール３０００の構造について説明する。第２変形例のデュアルカメラモジュール３０００では、第１基板１６０−１と第２基板２５０−２が一体で形成されることができる。この場合、第１基板１６０−１の前方端部と第２基板２５０−２の後方端部が連結されることができる。つまり、第１基板１６０−１の前方端部と第２基板２５０−２の後方端部は、コネクターなどによりはんだ付けされてもよい。また、第１基板１６０−１と第２基板２５０−２は、単一部品で製作されることができる。この場合、一体で形成された第１基板１６０−１と第２基板２５０−２は、前後方に長さを持つ長方形プレート形態であり得る。
【０１７０】
以下、本第３実施形態の第３変形例のデュアルカメラモジュール２０００の構造について説明する。第３変形例のデュアルカメラモジュール３０００では、第１カバー部材１１０−１と第２カバー部材２１０−２が一体で形成されることができる。この場合、第１カバー部材１１０−１と第２カバー部材２１０−２は、内部空間を共有することができる。第１側面１１２−１と第２側面２１３−２が消えて、第１カバー部材１１０−１の上面と第２カバー部材２１０−２の上面が連結されて一体のカバー部材を形成することができる。一体で形成されたカバー部材１１０−１、２１０−２の上面には第１カメラモジュール１の光軸と整列して第１透過窓１１１−１が形成されることができる。また、第１透過窓１１１−１と後方に離隔して、第２カメラモジュール２の光軸と整列して第２透過窓２１１−２が形成されることができる。また、一体で形成されたカバー部材１１０−１、２１０−２の底面には第１基板１６０−１と第２基板２５０−２が配置されることができる。この場合、第１基板１６０−１と第２基板２５０−２は、第２変形例同様に一体で形成されることができる。一体で形成されたカバー部材１１０−１、２１０−２の内部には第１レンズホルダー１２０−１、第１レンズモジュール１３０−１、第１液体レンズ１４０−１、第１イメージセンサー１５０−１、第１基板１６０−２及び第２レンズモジュール２２０−２、第２レンズ駆動装置２３０−２、第２イメージセンサー２４０−２、第２基板２５０−２が収容されることができる。これのために、一体で形成された第１、２カバー部材１１０−１、２１０−２は、前後方向に長さを持つ中空形態であり得る。一体で形成された第１、２カバー部材１１０−１、２１０−２は、前後方向に長さを持つ中空のブロック形態であり得る。この場合、第２レンズ駆動装置２３０−２を保護するために第２補充カバー部材２６０−２が追加されることができる。第２補充カバー部材２６０−２は、中空形態で内部にレンズ駆動装置２３０−２を収容することができる。第２補充カバー部材２６０−２は、中空の直方体形態であり得る。第２補充カバー部材２６０−２は、金属材質で外部の電磁気波を遮断することができる。その結果、レンズ駆動装置２３０−２は、電磁気的に安定することができる。また、外部の物理的衝撃から保護されることができる。この場合、第２補充カバー部材２６０−２と第１レンズホルダー１２０−１の最短距離（Ｄ６）は、２ｍｍ以下であり得る。第２補充カバー部材２６０−２の前方の側面と第１レンズホルダー１２０−１の後方の側面は、対向するように配置されることができる。この場合、第２補充カバー部材２６０−２の前方の側面と第１レンズホルダー１２０−１の前方の側面の最短距離は、２ｍｍ以下であり得る。
【０１７１】
以上の、第３実施形態の変形例は、第１カメラモジュール１と第２カメラモジュール２の構成部品を一体化してコンパクトな構造を持つデュアルカメラモジュール３０００を提供することができる。さらに第１カメラモジュール１と第２カメラモジュール２との間の隔離距離をさらに狭めることができる構造を持つ。
【０１７２】
以下では、図面を参照して本第１、２、３実施形態のデュアルカメラモジュール１０００、２０００、３０００の作用と効果について説明する。図２５は、本第１、２、３実施形態のデュアルカメラモジュールで撮影するのを示した概念図で、図２６は、合成イメージをデジタルズームする場合、ＭＴＦ値の変化を示した概念図である。
【０１７３】
デュアルカメラモジュール１０００、２０００、３０００の撮影対象となる被写体（S）は、主な第１、２被写体（Ｓ１、Ｓ２）と従たる背景被写体（Ｂ）を含むことができる。また、第１被写体（Ｓ１）とデュアルカメラモジュール１０００、２０００、３０００との間の距離は、第２被写体（Ｓ２）とデュアルカメラモジュール１０００、２０００、３０００との間の距離より遠い。つまり、通常のデュアルカメラモジュールでは、第１、２被写体（Ｓ１、Ｓ２）の焦点を同時に合わせることはできない。
【０１７４】
第１カメラモジュール１は、夾角カメラモジュールで第１被写体（Ｓ１）を含んだ第１イメージ（Ｉ１）を撮影することができる。第２カメラモジュール２は、広角カメラモジュールで第１、２被写体（Ｓ１、Ｓ２）と背景被写体（Ｂ）を含んだ第２イメージ（Ｉ２）を撮影することができる。また、第１カメラモジュール１の画角中少なくとも一部または全部は、第２カメラモジュール２の画角に含まれるので第１イメージ（Ｉ１）と第２イメージ（Ｉ２）との間にオーバーラップエリア（Ｏ）が存在することができる。
【０１７５】
以下、第１カメラモジュール１の画角が第２カメラモジュール２の画角に全部含まれて、第１イメージ（Ｉ１）とオーバーラップエリア（Ｏ）が一致する場合を想定して説明する。
【０１７６】
第１カメラモジュール１と第２カメラモジュール２は、同時にオートフォーカス機能及び／または手振れ補正機能を行って第１、２イメージ（Ｉ１、Ｉ２）を撮影することができる。従って、距離が各々異なる第１被写体（Ｓ１）と第２被写体（Ｓ２）の焦点を同時に合わせることができる。さらに外力による揺れも補正されることができる。その結果、第１イメージ（Ｉ１）と第２イメージ（Ｉ２）のＭＴＦは高くなる。
【０１７７】
制御部では、第１イメージ（Ｉ１）と第２イメージ（Ｉ２）の伝送を受けて、合成イメージ（Ｃ）を生成することができる。この場合、イメージスティッチングアルゴリズムが使われることができる。合成イメージ（Ｃ）のオーバーラップエリア（Ｏ）では、第２イメージ（Ｉ２）だけが存在することができる。また、合成イメージ（Ｃ）のオーバーラップエリア（Ｏ）では、第１イメージ（Ｉ１）とこれと同期化された第２イメージ（Ｉ２）が存在することができる。
【０１７８】
第１カメラモジュール１は夾角で、第２カメラモジュール２は広角であり得る。従って、合成イメージ（Ｃ）のオーバーラップエリア（Ｏ）で第１イメージ（Ｉ１）の解像度とＭＴＦは、第２カメラモジュール２より高くてよい。その結果、第２カメラモジュール一つだけ撮ったものより解像度とＭＴＦが高い高品質の合成イメージ（Ｃ）が生成されることができる。さらに上述した通り第１カメラモジュール１と第２カメラモジュール２は、各々同時にオートフォーカスと手振れ補正機能を行うため、第１イメージ（Ｉ１）のＭＴＦと第２イメージ（Ｉ２）のＭＴＦは高くなる。その結果、最高品質の合成イメージ（Ｃ）が生成されることができる。
【０１７９】
図２６は、合成イメージ（Ｃ）をオーバーラップエリア（Ｏ）を基準にデジタルズームして倍率を拡大する場合を示した概念図である。図２６のグラフの水平軸は、デジタルズーム倍率を意味して、垂直軸は、ＭＴＦを意味する。合成イメージ（Ｃ）のオーバーラップエリア（Ｏ）は、夾角で撮影されたイメージで、第２イメージ（Ｉ２）だけ存在する合成イメージ（Ｃ）の他のエリアより高い解像度とＭＴＦを持つ。従って、デジタルズームして倍率を拡大する場合、合成イメージ（Ｃ）のＭＴＦは減少してからオーバーラップエリア（Ｏ）の比率が高くなるほどＭＴＦの減少率が低くなるか維持されるが上昇される。
【０１８０】
本第１、２、３実施形態のデュアルカメラモジュール１０００、２０００、３０００は、第１カメラモジュール１と第２カメラモジュール２が、超近接または互いに接して配置されることができる。第１、２カメラモジュール１、２の間は電磁気的干渉を受けないためである。また、第１、２、カメラモジュールは、コンパクトな構造を持つためである。従って、第１カメラモジュール１と第２カメラモジュール２との間に時差が殆どない。その結果、オーバーラップエリア（Ｏ）で第１イメージ（Ｉ１）と第２イメージ（Ｉ２）のシンクロ率が高くなって高い品質の合成イメージ（Ｃ）を生成することができる。さらに第１カメラモジュール１の画角全部が、第２カメラモジュール２の画角に含まれるように設計しやすい。さらに第１カメラモジュール１の画角を最小に狭めても第１カメラモジュール１の画角全部が、第２カメラモジュール２の画角に含まれることができる。仮に、第１カメラモジュール１と第２カメラモジュール２の隔離距離が大きいとこのような光学設計に制約が伴うことになる。
【０１８１】
以下では、本第１、２、３実施形態に係るデュアルカメラモジュールが適用される光学装置について説明する。
【０１８２】
光学装置は、携帯電話、スマートフォン（ｓｍａｒｔ  ｐｈｏｎｅ）、携帯用スマート機器、デジタルカメラ、ノートパソコン（ｌａｐｔｏｐ  ｃｏｍｐｕｔｅｒ）、デジタル放送用端末、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどであり得る。但し、これに制限されずイメージを撮影するための何らかの装置も可能である。
【０１８３】
光学装置は、本体（図示せず）、デュアルカメラモジュール１０００、２０００、３０００、ディスプレイ部（図示せず）を含むことができる。さらにデュアルカメラモジュール１０００、２０００、３０００の制御部（図示せず）は、光学装置に含まれることができる。
【０１８４】
本体は、光学装置の外観を形成することができる。本体は、例えば直方体形状を含むことができる。但し、これに制限されない。変形例として本体は、少なくとも一部でラウンドに形成されることができる。本体は、デュアルカメラモジュール１０００、２０００、３０００を収容することができる。本体の一面にはディスプレイ部が配置されることができる。
【０１８５】
デュアルカメラモジュール１０００、２０００、３０００は、本体に配置されることができる。デュアルカメラモジュールは、本体の一面に配置されることができる。デュアルカメラモジュールは、少なくとも一部が本体内部に収容されることができる。デュアルカメラモジュールは、被写体の映像を撮影することができる。
【０１８６】
ディスプレイ部は、本体に配置されることができる。ディスプレイ部は、本体の一面に配置されることができる。つまり、ディスプレイ部は、デュアルカメラモジュールと同じ面に配置されることができる。または、ディスプレイ部は、本体の一面と他の面に配置されることができる。ディスプレイ部は、デュアルカメラモジュールが配置された面の向い側に位置する面に配置されることができる。ディスプレイ部は、デュアルカメラモジュールで撮影されたイメージを出力することができる。
【０１８７】
以下、本第４実施形態のカメラモジュールとこれの動作方法について説明する。
【０１８８】
添付されたブロック図の各ブロックとフローチャートの各段階の組合せは、ファームウェア（ｆｉｒｍｗａｒｅ）、ソフトウェア（ｓｏｆｔｗａｒｅ）、または、ハードウェア（ｈａｒｄｗａｒｅ）から構成された、アルゴリズムまたはコンピュータプログラムインストラクションによって実行されることもできる。それらのアルゴリズムまたはコンピュータプログラムインストラクションは、汎用コンピュータ、特殊用コンピュータまたはその他のプログラム可能なデジタル信号処理デバイス（Ｄｉｇｉｔａｌ  Ｓｉｇｎａｌ  Ｐｒｏｃｅｓｓｉｎｇ  Ｄｅｖｉｃｅ）のプロセッサに搭載されることができるため、コンピュータまたはその他のプログラム可能なデータプロセッシング装備のプロセッサを介して実行されるそのインストラクションが、ブロック図の各ブロックまたはフローチャートの各段階で説明された機能を行う手段を生成するようになる。それらのアルゴリズムまたはコンピュータプログラムインストラクションは、特定方式で機能を実現するために、コンピュータまたはその他のプログラム可能なデータプロセッシング装備を指向することができるコンピュータ利用可能またはコンピュータ読み込み可能メモリーに保存されることもできるため、そのコンピュータ利用可能またはコンピュータ読み込み可能メモリーに保存されたインストラクションは、ブロック図の各ブロックまたはフローチャートの各段階で説明された機能を行うインストラクション手段を内包する製造品目を生産することも可能である。コンピュータプログラムインストラクションは、コンピュータまたはその他のプログラム可能なデータプロセッシング装備上に搭載されることもできるため、コンピュータまたはその他のプログラム可能なデータプロセッシング装備上で一連の動作段階が実行されて、コンピュータで実行されるプロセスを生成してコンピュータまたはその他のプログラム可能なデータプロセッシング装備を行うインストラクションは、ブロック図の各ブロック及びフローチャートの各段階で説明された機能を実行するための段階を提供することも可能である。
【０１８９】
さらに、各ブロックまたは各段階は、特定された複数の論理的機能を実行するための一つ以上の実行可能なインストラクションを含むモジュール、セグメントまたはコードの一部を示すことができる。さらに、いくつかの代替実施形態では。ブロックまたは段階で言及された機能が順序から抜けて発生することも可能であることに注目しなければならない。例えば、連続して図示されている二つのブロックまたは段階は、実質的に同時に実行されるのも可能で、またはそのブロックまたは段階が時々該当する機能に応じて逆順で実行されることも可能である。
【０１９０】
明細書全体に渡って同一参照符号は、同一構成要素を指し示す。
【０１９１】
図２７は、第４実施形態に係るカメラモジュールの構成を図示したブロック図である。まず、図２７に示したように、この発明に係るカメラモジュール４１００は、第１レンズモジュール４１１０、第２レンズモジュール４１２０、駆動部４１３０及びスイッチング部４１４０を含む。
【０１９２】
第１レンズモジュール４１１０及び第２レンズモジュール４１２０は、ズームレンズ（ｚｏｏｍ  ｌｅｎｓ）及びデュアルレンズ（ｄｕａｌ ｌｅｎｓ）中少なくとも一つのレンズを含むことができる。さらに、第１レンズモジュール４１１０及び第２レンズモジュール４１２０は、二つ以上の液体を含み、第１界面を形成する第１液体レンズと一つ以上の固体レンズを含む。ここで、第１液体レンズは、第１界面を形成する二つ以上の液体を含み、電圧ドライバー４１３３から第１液体レンズの駆動のための出力された電圧をスイッチング部４１４０から伝達を受けることができる。さらに、第２液体レンズは、第２界面を形成する二つ以上の液体を含み、電圧ドライバー４１３３から第２液体レンズの駆動のための出力された電圧をスイッチング部４１４０から伝達を受けることができる。以下、レンズモジュール４１１０、４１２０について具体的な説明は図２８により詳細に説明するようにする。
【０１９３】
駆動部４１３０は、センサーモジュール（ｓｅｎｓｏｒ ｍｏｄｕｌｅ）４１３１、ＯＩＳコントローラー（Ｏｐｔｉｃａｌ  Ｉｍａｇｅ  Ｓｔａｂｉｌｉｚａｔｉｏｎ  ｃｏｎｔｒｏｌｅｒ）４１３２、電圧ドライバー（ｖｏｌｔａｇｅ  ｄｒｉｖｅｒ）４１３３、コントローラー４１３４及びクロックモジュール（ｃｌｏｃｋ  ｍｏｄｕｌｅ）を含む。
【０１９４】
センサーモジュール４１３１は、カメラモジュール４１００の位置及び方向などを測定するセンサーで、例えば、ジャイロセンサー（Ｇｙｒｏｓｃｏｐｅ  ｓｅｎｓｏｒ）及び加速度センサー（ａｃｃｅｌｅｒｏｍｅｔｅｒ）等カメラモジュール４１００の位置及び方向などを測定するセンサーはともに含まれることができる。
【０１９５】
ＯＩＳコントローラー４１３２は、第１界面及び第２界面が変わることによって手振れ補正機能を行う。
【０１９６】
電圧ドライバー４１３３は、第１液体レンズ及び第２液体レンズの駆動のための電圧を出力する。例えば、電圧ドライバー４１３３は、第１液体レンズ及び第２液体レンズの駆動のために、０Ｖ（Ｖｏｌｔａｇｅ）乃至７５Ｖの電圧を出力することができる。
【０１９７】
コントローラー４１３４は、スイッチング部４１４０に含まれた二つのスイッチを共に短絡させる命令をスイッチング部４１４０に伝達するかスイッチング部４１４０に含まれた二つのスイッチの何れかのスイッチを開放（ｏｐｅｎ）させて、残りの一つのスイッチを短絡（ｓｈｏｒｔ）させる命令をスイッチング部４１４０に伝達する。
【０１９８】
例えば、コントローラー４１３４は、スイッチング部４１４０に含まれた二つのスイッチ中第１スイッチを一定時間（例えば、３秒間）短絡させるようにする命令及び第２スイッチを一定時間（例えば、３秒間）開放させるようにする命令をスイッチング部４１４０に伝達することができる。以後、一定時間が過ぎると、コントローラー４１３４は、スイッチング部４１４０に含まれた二つのスイッチ中第２スイッチを一定時間（例えば、３秒間）短絡させるようにする命令及び第１スイッチを一定時間（例えば、３秒間）開放させるようにする命令をスイッチング部４１４０に伝達することができる。
【０１９９】
クロックモジュール４１３５は、駆動部４１３０と二つのレンズモジュール（第１レンズモジュール４１１０及び第２レンズモジュール４１２０）の同期化を行うために、クロック信号を生成する。例えば、クロックモジュール４１３５は、デジタル値である任意の値を駆動部４１３０と第１レンズモジュール４１１０の同期化を行うためにクロック信号を生成した後、デジタル値である任意の値を駆動部４１３０と第２レンズモジュール４１２０の同期化を行うためにクロック信号を生成することができる。
【０２００】
スイッチング部４１４０は、一つまたは二つ以上のスイッチを含み、駆動部４１３０から生成される同じ信号を第１液体レンズ及び第２液体レンズに伝達する。ここで、同じ信号とは、駆動部４１３０内の電圧ドライバー４１３３から出力された同じ電圧値と定義される。例えば、スイッチング部４１４０は、電圧ドライバー４１３３から第１液体レンズ及び第２液体レンズの駆動のために０Ｖ乃至７５Ｖの電圧の伝達を受けることができる。
【０２０１】
また、スイッチング部４１４０は、駆動部４１３０からスイッチング部４１４０に含まれた二つのスイッチの何れかのスイッチを開放して、残りの一つのスイッチを短絡するようにする命令の伝達を受けて、二つのスイッチを各々開放及び短絡させることができる。例えば、スイッチング部４１４０は、コントローラー４１３４からスイッチング部４１４０に含まれた二つのスイッチ中第１スイッチを一定時間短絡させるようにする命令及び第２スイッチを一定時間開放するようにする命令の伝達を受けて、第１スイッチを一定時間短絡して、第２スイッチを一定時間開放するようにすることができる。以後、スイッチング部４１４０は、コントローラー１３４からスイッチング部４１４０に含まれた二つのスイッチ中第２スイッチを一定時間短絡するようにする命令及び第１スイッチを一定時間開放するようにする命令をスイッチング部４１４０に伝達することができる。
【０２０２】
また、スイッチング部４１４０は、クロックモジュール４１３５から駆動部４１３０と二つのレンズモジュール（第１レンズモジュール４１１０及び第２レンズモジュール４１２０）の同期化を行うためのクロック信号の伝達を受けて、二つのレンズモジュールに順次伝達する。例えば、スイッチング部４１４０は、クロックモジュール４１３５から駆動部４１３０と第１レンズモジュール４１１０の同期化を行うためのデジタル値である任意の値の伝達を受けて、伝達されたデジタル値である任意の値を第１レンズモジュール４１１０に伝達することができる。以後、スイッチング部４１４０は、クロックモジュール４１３５から駆動部４１３０と第１レンズモジュール４１１０の同期化を行うためのデジタル値である任意の値の伝達を受けて、伝達されたデジタル値である任意の値を第１レンズモジュール４１１０に伝達することができる。
【０２０３】
以下では、カメラモジュール及びカメラモジュールの動作方法を具体的に説明するために、図２７と共に参照する。
【０２０４】
図２８は、本発明の一実施形態に係る第１レンズモジュール及び第２レンズモジュールの構成を図示したブロック図である。図２８に示されたように、第１レンズモジュール４１１０及び第２レンズモジュール４１２０は、第１レンズ部４１１１、傾斜部４１１２、カバー部材４１１３、レンズホルダー４１１４、液体レンズ４１１５、第２レンズ部４１１６及び赤外線フィルター４１１７を含む。
【０２０５】
第１レンズ部４１１１は、一つ以上の固体レンズを含むことができる。第１レンズ部４１１１のレンズは、積層形態で位置することができる。第１レンズ部４１１１の最下側レンズの底面には外側周りに沿って傾斜部４１１２が位置することができる。この場合、傾斜部４３１０は、レンズホルダー４１１４の内側に下り傾斜されるように形成されることができる。最下側レンズの底面の外側周りが角ばっている場合、液体レンズ４１１５の挿入時上部プレートと摩擦が発生する可能性があるため、これを防止するために傾斜部４１１２が必要である。
【０２０６】
液体レンズ４１１５は、伝導性液体と非伝導性液体の界面の曲率を制御して、ＡＦ機能とＯＩＳ機能を行うレンズである。伝導性液体と非伝導性液体が収容されて、電極と絶縁体が積層されて、電極に電圧を印加すると、印加された電圧の強度に応じて伝導性液体と絶縁体でコーティングされたキャビティの内側面の接触角が変化するエレクトロウェッティング（ｅｌｅｃｔｒｏｗｅｔｔｉｎｇ）現象が発生する。
【０２０７】
第２レンズ部４１１６は、一つ以上の固体レンズを含むことができる。第２レンズ部４１１６のレンズは、積層形態で位置することができる。第２レンズ部４１１６のレンズは、レンズの上部は、第２レンズ収容ホール段差やオーリングに接して下部は下部レンズやオーリングに支持されて固定されることができる。第２レンズ部４１１６の最上側レンズの上部は、液体レンズ４１１５の下部プレートの下面に接して固定されることができる。
【０２０８】
赤外線フィルター４１１７は、イメージセンサーに赤外線エリアの光が入射されるのを遮断することができる。赤外線フィルター４１１７は、レンズモジュールとメイン基板との間に位置することができる。赤外線フィルター４１１７は、フィルム材質またはグラス材質で形成されることができる。赤外線フィルター４１１７は、撮像面保護用カバーガラス、カバーグラスのような平板形状の光学的フィルターに赤外線遮断コーティング物質がコーティングされて形成されることができる。赤外線フィルター４１１７は、赤外線遮断フィルターまたは赤外線吸収フィルターであり得る。
【０２０９】
図２９乃至図３２は、本第４実施形態に係るスイッチング部に含まれたスイッチの動作を説明するための図である。以下、スイッチング部４１４０が電圧ドライバー４１３３から第１液体レンズ及び第２液体レンズを駆動するために一定の電圧の印加を受けて、駆動部４１３０とレンズモジュール４１１０、４１２０との同期化のためにクロックモジュール４１３５からデジタル信号である任意の値の印加を受けてレンズモジュール４１１０、４１２０に伝達するのを仮定する。
【０２１０】
スイッチング部４１４０は、コントローラー４１３４から予め定義されたデジタル値の入力を受けることができる。ここで、予め定義されたデジタル値とは、スイッチング部４１４０に含まれたスイッチを駆動させるための値と定義される。例えば、スイッチング部４１４０に二つのスイッチが備えられて、予め定義されたデジタル値が“００、０１、１０、１１”の場合について説明する。
【０２１１】
まず、図２９に示したように、スイッチング部４１４０が、コントローラー４１３４から“００”のデジタル値の入力を受けた場合、スイッチング部４１４０は、スイッチング部４１４０に備えられた二つのスイッチ中上端に位置したスイッチは短絡させて、下端に位置したスイッチは開放することができる。
【０２１２】
また、図３０に示したように、スイッチング部４１４０が、コントローラー４１３４から“０１”のデジタル値の入力を受けた場合、スイッチング部４１４０は、スイッチング部４１４０に備えられた二つのスイッチ中上端に位置したスイッチは開放させて、下端に位置したスイッチは短絡させることができる。
【０２１３】
また、図３１に示したように、スイッチング部４１４０が、コントローラー４１３４から“１０”のデジタル値の入力を受けた場合、スイッチング部４１４０は、スイッチング部４１４０に備えられた上端及び下端に位置した二つのスイッチを共に短絡させることができる。
【０２１４】
また、図３２に示したように、スイッチング部４１４０が、コントローラー４１３４から“１１”のデジタル値の入力を受けた場合、スイッチング部４１４０は、一定時間スイッチング部４１４０に備えられた二つのスイッチ中上端に位置したスイッチは短絡させて、下端に位置したスイッチは開放させることができる。以後、スイッチング部４１４０は、一定時間が過ぎると、再び一定時間上端に位置したスイッチは開放させて、下端に位置したスイッチは短絡させることができる。つまり、スイッチング部４１４０は、スイッチング部４１４０に備えられた二つのスイッチを一定時間順次短絡と開放を繰り返す動作を行うことができる。
【０２１５】
図３３は、本第４実施形態に係るカメラモジュールの第１動作順序を説明するためのフローチャートである。まず、図３３に示したように、第１レンズモジュール４１１０は、第１界面を形成する二つ以上の液体を含み、電圧の印加を受けて第１界面の形状を調節する（Ｓ４１０）。具体的に、第１レンズモジュール４１１０は、スイッチング部４１４０を介して駆動部４１３０内の電圧ドライバー４１３３から電圧の印加を受けて第１レンズモジュール４１１０に備えられた第１液体レンズの第１界面の形状を調節する。
【０２１６】
以後、第２レンズモジュール４１２０は、第２界面を形成する二つ以上の液体を含み、電圧の印加を受けて第２界面の形状を調節する（Ｓ４２０）。具体的に、第２レンズモジュール４１２０は、スイッチング部４１４０を介して駆動部４１３０内の電圧ドライバー４１３３から電圧の印加を受けて第２レンズモジュール４１２０に備えられた第２液体レンズの第２界面の形状を調節する。
【０２１７】
以後、駆動部４１３０は、第１レンズモジュール４１１０と第２レンズモジュール４１２０の駆動を制御する信号を生成する（Ｓ４３０）。具体的に、電圧ドライバー４１３３は、第１液体レンズ及び第２液体レンズの駆動のための電圧を出力して、コントローラー４１３４は、スイッチング部４１４０に含まれた二つのスイッチを共に開放させるデジタル信号を発生するか一定時間二つのスイッチの何れかのスイッチは開放、残りのスイッチは短絡させるデジタル信号を発生して、クロックモジュール４１３５は、駆動部４１３０と二つのレンズモジュール（第１レンズモジュール４１１０及び第２レンズモジュール４１２０）の同期化を行うためにクロック信号を生成する。
【０２１８】
以後、スイッチング部４１４０は、駆動部から生成される同じ信号を第１液体レンズ及び第２液体レンズに伝達する（Ｓ４４０）。つまり、スイッチング部４１４０は、駆動部４１３０内の電圧ドライバー４１３３から出力された同じ電圧値を第１液体レンズ及び第２液体レンズに伝達する。
【０２１９】
図３４は、本第４実施形態に係るカメラモジュールの第２動作順序を説明するためのフローチャートである。まず、図３４に示したように、第１レンズモジュール４１１０は、第１界面を形成する二つ以上の液体を含み、電圧の印加を受けて第１界面の形状を調節する（Ｓ５１０）。具体的に、第１レンズモジュール４１１０は、スイッチング部４１４０を介して駆動部４１３０内の電圧ドライバー４１３３から電圧の印加を受けて第１レンズモジュール４１１０に備えられた第１液体レンズの第１界面の形状を調節する。
【０２２０】
以後、第２レンズモジュール４１２０は、第２界面を形成する二つ以上の液体を含み、電圧の印加を受けて第２界面の形状を調節する（Ｓ５２０）。具体的に、第２レンズモジュール４１２０は、スイッチング部４１４０を介して駆動部４１３０内の電圧ドライバー４１３３から電圧の印加を受けて第２レンズモジュール４１２０に備えられた第２液体レンズの第２界面の形状を調節する。
【０２２１】
以後、駆動部４１３０は、第１レンズモジュール４１１０と第２レンズモジュール４１２０の駆動を制御する信号を生成する（Ｓ５３０）。具体的に、電圧ドライバー４１３３は、第１液体レンズ及び第２液体レンズの駆動のための電圧を出力して、コントローラー４１３４は、スイッチング部４１４０に含まれた二つのスイッチを共に開放させるデジタル信号を発生するか一定時間二つのスイッチの何れかのスイッチは開放、残りのスイッチは短絡させるデジタル信号を発生して、クロックモジュール４１３５は、駆動部４１３０と二つのレンズモジュール（第１レンズモジュール４１１０及び第２レンズモジュール４１２０）の同期化を行うためにクロック信号を生成する。
【０２２２】
以後、スイッチング部４１４０は、駆動部から生成される信号を第１液体レンズ及び第２液体レンズの何れかの液体レンズに選択的に伝達する（Ｓ５４０）。つまり、スイッチング部４１４０は駆動部４１３０内の電圧ドライバー４１３３から出力された各々異なる電圧値を第１液体レンズの何れかの液体レンズに選択的に伝達する。
【０２２３】
以上、本発明の実施形態を構成するすべての構成要素が一つで結合するか結合して動作するものと説明されたといって、本発明が必ずしもこのような実施形態に限定されるのではない。つまり、本発明の目的範囲の中でなら、そのすべての構成要素が一つ以上で選択的に結合して動作することもできる。さらに、以上で記載された“含む”、“構成する”または“持つ”等の用語は、特に反対になる記載がない限り、該当構成要素が内在する可能性があることを意味するため、他の構成要素を除くのではなく、他の構成要素をさらに包含できると解釈されなければならない。技術的や科学的な用語を含んだすべての用語は、異なるように定義されない限り、本発明が属する技術分野で通常の知識を有する者によって一般的に理解されるのと同じ意味がある。予め定義された用語のように一般的に使われる用語は、関連技術の文脈上の意味と一致すると解釈されるべきで、本発明で明白に定義しない限り、理想的や過度に形式的な意味と解釈されない。
【０２２４】
以上の説明は、本発明の技術思想を例示的に説明したものに過ぎず、本発明が属する技術分野で通常の知識を有する者ならば本発明の本質的な特性から逸脱しない範囲で様々な修正及び変形が可能であろう。従って、本発明に開示された実施形態は、本発明の技術思想を限定するためのものではなく説明するためのもので、このような実施形態によって本発明の技術思想の範囲が限定されない。本発明の技術的範囲は、特許請求の範囲によって解釈されるべきで、それと同等な範囲内にあるすべての技術思想は、本発明の技術的範囲に含まれると解釈されなければならない。
【図１】
2019529994.tif 000003
【図２】
2019529994.tif 000004
【図３】
2019529994.tif 000005
【図４】
2019529994.tif 000006
【図５】
2019529994.tif 000007
【図６】
2019529994.tif 000008
【図７】
2019529994.tif 000009
【図８】
2019529994.tif 000010
【図９】
2019529994.tif 000011
【図１０】
2019529994.tif 000012
【図１１】
2019529994.tif 000013
【図１２】
2019529994.tif 000014
【図１３】
2019529994.tif 000015
【図１４】
2019529994.tif 000016
【図１５】
2019529994.tif 000017
【図１６】
2019529994.tif 000018
【図１７】
2019529994.tif 000019
【図１８】
2019529994.tif 000020
【図１９】
2019529994.tif 000021
【図２０】
2019529994.tif 000022
【図２１】
2019529994.tif 000023
【図２２】
2019529994.tif 000024
【図２３】
2019529994.tif 000025
【図２４】
2019529994.tif 000026
【図２５】
2019529994.tif 000027
【図２６】
2019529994.tif 000028
【図２７】
2019529994.tif 000029
【図２８】
2019529994.tif 000030
【図２９】
2019529994.tif 000031
【図３０】
2019529994.tif 000032
【図３１】
2019529994.tif 000033
【図３２】
2019529994.tif 000034
【図３３】
2019529994.tif 000035
【図３４】
2019529994.tif 000036
【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
第１液体レンズを含み、第１イメージを撮影する第１カメラモジュール；及び
第２液体レンズを含み、第２イメージを撮影する第２カメラモジュールを含み、
前記第１カメラモジュールの画角は、前記第２カメラモジュールの画角より小さく、
前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、
第１カメラモジュールが、フォーカシングされる時、第１液体レンズは、被写体との距離に応じて焦点距離が可変されて、
第２カメラモジュールが、フォーカシングされる時、第２液体レンズは、被写体との距離に応じて焦点距離が可変されることを特徴とする、デュアルカメラモジュール。
【請求項２】
前記第１カメラモジュールは、前記第１液体レンズの第１界面が変わることによってフォーカシングされて、前記第１液体レンズの焦点距離は、被写体が前記第１液体レンズに近接するほど短くなり、
前記第２カメラモジュールは、前記第２液体レンズの第２界面が変わることによってフォーカシングされて、前記第２液体レンズの焦点距離は、被写体が前記第２液体レンズに近接するほど短くなることを特徴とする、請求項１に記載のデュアルカメラモジュール。
【請求項３】
前記第１液体レンズは、互に異なる二つの液体が配置される第１キャビティを含み、
前記第１キャビティの上部直径は、下部直径より大きく、
前記第１キャビティの直径は、上部から下部に行くほど小さくなり、
前記第２液体レンズは、互いに異なる二つの液体が配置される第２キャビティを含み、
前記第２キャビティの上部直径は、下部直径より大きく、
前記第２キャビティの直径は、上部から下部に行くほど小さくなることを特徴とする、請求項１に記載のデュアルカメラモジュール。
【請求項４】
前記第１液体レンズは、互いに異なる二つの液体が配置される第１キャビティを含み、
前記第１キャビティの下部直径は、上部直径より大きく、
前記第１キャビティの直径は、下部から上部に行くほど小さくなり、
前記第２液体レンズは、互いに異なる二つの液体が配置される第２キャビティを含み、
前記第２キャビティの下部直径は、上部直径より大きく、
前記第２キャビティの直径は、下部から上部に行くほど小さくなることを特徴とする、請求項１に記載のデュアルカメラモジュール。
【請求項５】
被写体が、第１カメラモジュールからの距離が１０ｃｍ離れた位置でフォーカシングされる時、前記第１液体レンズの第１界面の形状は、前記第１キャビティの上部方向に凸して、
被写体が、第２カメラモジュールからの距離が１０ｃｍ離れた位置でフォーカシングされる時、前記第２液体レンズの第２界面の形状は、前記第２キャビティの上部方向に凸することを特徴とする、請求項３に記載のデュアルカメラモジュール。
【請求項６】
被写体が、第１カメラモジュールからの距離が１０ｃｍ離れた位置でフォーカシングされる時、前記第１液体レンズの第１界面の形状は、前記第１キャビティの下部方向で凸して、
被写体が、第２カメラモジュールからの距離が１０ｃｍ離れた位置でフォーカシングされる時、前記第２液体レンズの第２界面の形状はｍ前記第２キャビティの下部方向に凸することを特徴とする、請求項４に記載のデュアルカメラモジュール。
【請求項７】
被写体が、第１カメラモジュールからの距離が１０ｃｍ離れた位置でフォーカシングされる時、前記第１界面の曲率は、被写体が第２カメラモジュールからの距離が１０ｃｍ離れた位置にある時に前記第２界面の曲率よりより大きいことを特徴とする、請求項１に記載のデュアルカメラモジュール。
【請求項８】
前記第１カメラモジュールは、第１レンズホルダーを備え、
前記第１レンズホルダーは、前記第１レンズホルダー内部の最上部に配置された第１レンズを含み、
前記第２カメラモジュールは、第２レンズホルダーを備え、
前記第２レンズホルダーは、前記第２レンズホルダー内部の最上部に配置された第２レンズを含み、
前記第１レンズの直径は、前記第２レンズの直径より小さいことを特徴とする、請求項１に記載のデュアルカメラモジュール。
【請求項９】
前記第１カメラモジュールは、前記第１液体レンズを収容する第１カバー部材を含み、前記第２カメラモジュールは、前記第２液体レンズを収容する第２カバー部材を含み、
前記第１カバー部材は、前記第１カバー部材の上部を形成する第１上面板と側面を形成する第１側面板を含み、前記第２カバー部材は、前記第２カバー部材の上部を形成する第２上面板と側面を形成する第２側面板を含むことを特徴とする、請求項１に記載のデュアルカメラモジュール。
【請求項１０】
前記第１上面板と前記第２上面板の広さは、互いに同じことを特徴とする、請求項９に記載のデュアルカメラモジュール。
【請求項１１】
前記第１上面板の広さは前記第２上面板の広さより狭いことを特徴とする、請求項９に記載のデュアルカメラモジュール。
【請求項１２】
前記第１液体レンズに形成されたキャビティの最大直径は前記第２液体レンズに形成されたキャビティの最大直径より小さいことを特徴とする、請求項１に記載のデュアルカメラモジュール。
【請求項１３】
前記第１液体レンズに形成されたキャビティの最小直径は前記第２液体レンズに形成されたキャビティの最小直径より小さいことを特徴とする、請求項１に記載のデュアルカメラモジュール。
【請求項１４】
前記第２カメラモジュールの焦点距離は前記第１カメラモジュールの焦点距離より小さいことを特徴とする、請求項１に記載のデュアルカメラモジュール。
【請求項１５】
前記第１界面が変わって前記第１イメージのＭＴＦ値を調節することを特徴とする、請求項１に記載のデュアルカメラモジュール。
【請求項１６】
前記第２界面が変わって前記第２イメージのＭＴＦ値を調節することを特徴とする、請求項１に記載のデュアルカメラモジュール。
【請求項１７】
前記第１カメラモジュールと前記第２カメラモジュールは同時にオートフォーカシングを行うことを特徴とする、請求項１に記載のデュアルカメラモジュール。
【請求項１８】
前記第１液体レンズの第１界面が変わることによって手振れ補正を行うことを特徴とする、請求項１に記載のデュアルカメラモジュール。
【請求項１９】
前記第２液体レンズの第２界面が変わることによって手振れ補正を行うことを特徴とする、請求項１に記載のデュアルカメラモジュール。
【請求項２０】
第１液体レンズを含み、第１イメージを撮影する第１カメラモジュール；
第２液体レンズを含み、第２イメージを撮影する第２カメラモジュール；及び
前記第１イメージと前記第２イメージを合成して合成イメージを生成する制御部；を含み、
前記第１カメラモジュールの画角は、前記第２カメラモジュールの画角より小さく、
前記第１カメラモジュールの画角中少なくとも一部は、前記第２カメラモジュールの画角に含まれて、前記第１イメージと前記第２イメージを合成した合成イメージを生成することができるように前記第１イメージと前記第２イメージとの間にオーバーラップエリアが存在して、
前記第１カメラモジュールが、フォーカシングされる時、前記第１液体レンズは、被写体との距離に応じて焦点距離が可変されて、
前記第２カメラモジュールが、フォーカシングされる時、前記第２液体レンズは、被写体との距離に応じて焦点距離が可変されて、
前記制御部は、前記合成イメージを前記オーバーラップエリアを中心にデジタルズームして倍率を拡大する場合、前記合成イメージの分解能は減少してから上昇することを特徴とする、光学装置。
【国際調査報告】
2019529994.tif 000037
2019529994.tif 000038
2019529994.tif 000039
2019529994.tif 000040